(57)【要約】【課題】ユーザにとって、放射線画像撮影システムの使い勝手を向上させることができる。【解決手段】表示部を備え、各々放射線画像の撮影に関する制御を行う、少なくとも１つが選択的に使用される複数の制御装置と、選択的に使用される制御装置である使用制御装置が１つであるか複数であるかを判定し、使用制御装置が１つであると判定した場合には、１つの使用制御装置に応じた第１の表示内容を自装置が備える表示部に表示させるための制御内容を使用制御装置に対して設定し、使用制御装置が複数であると判定した場合には、複数の使用制御装置の組み合わせに応じて、第１の表示内容よりも情報量が少ない第２の表示内容を自装置が備える表示部に表示させる、または第１の表示内容を自装置が備える表示部に非表示とするための制御内容を使用制御装置の各々に対して設定する設定部と、を備えた放射線画像撮影システム。【選択図】図３
2018140279.tif 000002
【特許請求の範囲】
【請求項１】
表示部を備え、各々放射線画像の撮影に関する制御を行う、少なくとも１つが選択的に使用される複数の制御装置と、
選択的に使用される制御装置である使用制御装置が１つであるか複数であるかを判定し、前記使用制御装置が１つであると判定した場合には、前記１つの使用制御装置に応じた第１の表示内容を自装置が備える前記表示部に表示させるための制御内容を前記使用制御装置に対して設定し、前記使用制御装置が複数であると判定した場合には、前記複数の使用制御装置の組み合わせに応じて、前記第１の表示内容よりも情報量が少ない第２の表示内容を自装置が備える前記表示部に表示させる、または前記第１の表示内容を自装置が備える前記表示部に非表示とするための制御内容を前記使用制御装置の各々に対して設定する設定部と、
を備えた放射線画像撮影システム。
【請求項２】
前記複数の制御装置の各々は、表示能力が互いに異なる表示部を備え、
前記設定部は、前記使用制御装置が複数の場合には、前記複数の使用制御装置のうち、表示能力が相対的に低い表示部を備えた使用制御装置の前記表示部に表示される表示内容が、前記使用制御装置が１つの場合の表示部に表示される表示内容よりも少なくなる制御内容を設定する、
請求項１に記載の放射線画像撮影システム。
【請求項３】
前記使用制御装置が複数の場合に、予め定められた使用制御装置の前記表示部に表示される表示内容のうち、他の使用制御装置の表示部に表示されている表示内容と重複する表示内容は、他の表示内容より目立たなく表示させる制御を行う制御部をさらに備えた、
請求項１または請求項２に記載の放射線画像撮影システム。
【請求項４】
前記設定部は、前記使用制御装置が複数の場合に、複数の前記使用制御装置のうち、放射線画像の撮影を行う撮影室内で使用される使用制御装置には、前記撮影室内で表示することが予め定められた前記表示内容を設定する、
請求項１から請求項３のいずれか１項に記載の放射線画像撮影システム。
【請求項５】
前記使用制御装置が複数の場合に、複数の前記使用制御装置のうち少なくとも１つの使用制御装置の表示部に表示させる表示内容の指示を受け付ける表示内容受付部をさらに備え、
前記設定部は、前記表示内容受付部が受け付けた表示内容を、前記少なくとも１つの使用制御装置に設定する、
請求項１から請求項４のいずれか１項に記載の放射線画像撮影システム。
【請求項６】
前記設定部は、前記使用制御装置が、複数の相互に通信可能な制御装置の場合に、前記使用制御装置の組み合わせに応じた制御内容を前記使用制御装置の各々に設定する、
請求項１から請求項５のいずれか１項に記載の放射線画像撮影システム。
【請求項７】
放射線画像の撮影に関して予め定められた複数の撮影モードの中から選択された１つの撮影モードにより放射線画像を撮影する放射線画像撮影装置をさらに備え、
前記設定部は、前記放射線画像撮影装置の前記撮影モードが変更された場合に、前記使用制御装置の制御内容を設定する、
請求項１から請求項６のいずれか１項に記載の放射線画像撮影システム。
【請求項８】
前記複数の撮影モードは、撮影によって得られた複数の放射線画像の画像データを前記放射線画像撮影装置に一体化された記憶部に記憶するメモリモードを含み、
前記設定部は、前記放射線画像撮影装置の前記撮影モードが前記メモリモードに変更された場合は、前記使用制御装置の制御内容を、前記１つの使用制御装置に応じた制御内容に設定する、
請求項７に記載の放射線画像撮影システム。
【請求項９】
前記制御内容を受け付ける制御内容受付部をさらに備え、
前記設定部は、前記制御内容受付部が受け付けた制御内容を、前記使用制御装置に設定する、
請求項１から請求項５のいずれか１項に記載の放射線画像撮影システム。
【請求項１０】
前記設定部は、前記使用制御装置が複数の場合に、前記複数の使用制御装置のうち、少なくとも１つの使用制御装置に備えられている、
請求項１から請求項９のいずれか１項に記載の放射線画像撮影システム。
【請求項１１】
前記使用制御装置が複数である場合の少なくとも１つの使用制御装置は携帯型の制御装置である、
請求項１から請求項１０のいずれか１項に記載の放射線画像撮影システム。
【請求項１２】
携帯型の制御装置及び非携帯型の制御装置を含み、各々が表示部を備え、各々が放射線画像の撮影に関する制御を行う、少なくとも１つが選択的に使用される複数の制御装置と、
選択的に使用される制御装置である使用制御装置に対して、前記使用制御装置が携帯型及び非携帯型のいずれであるかを判定した判定結果、及び前記使用制御装置が１つ及び複数のいずれであるかを判定した判定結果に基づいて前記使用制御装置の表示部に表示する表示内容を設定し、前記使用制御装置が１つであると判定した場合には、前記１つの使用制御装置に応じた第１の表示内容を自装置が備える前記表示部に表示させるための制御内容を前記使用制御装置に対して設定し、前記使用制御装置が複数であると判定した場合には、前記複数の使用制御装置の組み合わせに応じて、前記第１の表示内容よりも情報量が少ない第２の表示内容を自装置が備える前記表示部に表示させる、または前記第１の表示内容を自装置が備える前記表示部に非表示とするための制御内容を前記使用制御装置の各々に対して設定する設定部と、
を備えた放射線画像撮影システム。
【請求項１３】
前記携帯型の制御装置である場合の前記使用制御装置の表示部に表示する表示内容は、前記非携帯型の制御装置である場合の前記使用制御装置の表示部に表示する表示内容よりも情報量が少ない、
請求項１２に記載の放射線画像撮影システム。
【請求項１４】
前記携帯型の制御装置である場合の前記使用制御装置の表示部に表示する表示内容は、前記非携帯型の制御装置である場合の前記使用制御装置の表示部に表示する同一の項目の表示内容よりも情報量が少ない、
請求項１２または請求項１３に記載の放射線画像撮影システム。
【請求項１５】
放射線画像の撮影に係る情報が表示される第１表示部を備え、単独で放射線画像の撮影に関する制御を行う場合は、前記第１表示部に第１の表示内容の表示が行われ、他の制御装置と組み合わされて放射線画像の撮影に関する制御を行う場合は、前記第１表示部に前記第１の表示内容よりも情報量が少ない第２の表示内容の表示が行われる、非携帯型の制御装置と、
放射線画像の撮影に係る情報を表示させる、前記第１表示部よりも表示能力が低い第２表示部を備え、単独で放射線画像の撮影に関する制御を行う場合は、前記第２表示部に第１の表示内容よりも情報量が少ない第３の表示内容が表示され、他の制御装置と組み合わされて放射線画像の撮影に関する制御を行う場合は、前記第２表示部に前記第２の表示内容及び前記第３の表示内容のいずれよりも情報量が少ない第４の表示内容の表示が行われる、携帯型の制御装置と、
を備えた放射線画像撮影システム。
【請求項１６】
前記携帯型の制御装置は、自装置の駆動に用いる電源を供給するバッテリを内蔵する、
請求項１１から請求項１５のいずれか１項に記載の放射線画像撮影システム。
【請求項１７】
表示部を備え、各々放射線画像の撮影に関する制御を行う、少なくとも１つが選択的に使用される複数の制御部を有する制御装置と、
選択的に使用される制御部である使用制御部が１つであるか複数であるかを判定し、前記使用制御部が１つであると判定した場合には、１つの使用制御部に応じた第１の表示内容を自装置が備える前記表示部に表示させるための制御内容を前記使用制御部に対して設定し、使用制御部が複数であると判定した場合には、複数の使用制御部の組み合わせに応じて、前記第１の表示内容よりも情報量が少ない第２の表示内容を自装置が備える前記表示部に表示させる、または前記第１の表示内容を自装置が備える前記表示部に非表示とするための制御内容を前記使用制御部の各々に対して設定する設定部と、
を備えた放射線画像撮影システム。
【請求項１８】
表示部を備え、各々放射線画像の撮影に関する制御を行う、少なくとも１つが選択的に使用される複数の制御装置のうちの１つであり、
選択的に使用される制御装置である使用制御装置が１つであるか複数であるかを判定し、
前記使用制御装置が１つであると判定した場合には、前記１つの使用制御装置に応じた第１の表示内容を自装置が備える前記表示部に表示させるための制御内容を前記使用制御装置に対して設定し、
前記使用制御装置が複数であると判定した場合には、前記複数の使用制御装置の組み合わせに応じて、前記第１の表示内容よりも情報量が少ない第２の表示内容を自装置が備える前記表示部に表示させる、または前記第１の表示内容を自装置が備える前記表示部に非表示とするための制御内容を前記使用制御装置の各々に対して設定する設定部を備えた、
制御装置。
【請求項１９】
表示部を備え、各々放射線画像の撮影に関する制御を行う、少なくとも１つが選択的に使用される複数の制御装置を備えた放射線画像撮影システムの制御方法であって、
選択的に使用される制御装置である使用制御装置が１つであるか複数であるかを判定し、
前記使用制御装置が１つであると判定した場合には、前記１つの使用制御装置に応じた第１の表示内容を自装置が備える前記表示部に表示させるための制御内容を前記使用制御装置に対して設定し、
前記使用制御装置が複数であると判定した場合には、前記複数の使用制御装置の組み合わせに応じて、前記第１の表示内容よりも情報量が少ない第２の表示内容を自装置が備える前記表示部に表示させる、または前記第１の表示内容を自装置が備える前記表示部に非表示とするための制御内容を前記使用制御装置の各々に対して設定する、
ことを含む処理をコンピュータに実行させるための放射線画像撮影システムの制御方法。
【請求項２０】
表示部を備え、各々放射線画像の撮影に関する制御を行う、少なくとも１つが選択的に使用される複数の制御装置を備えた放射線画像撮影システムの制御プログラムであって、
選択的に使用される制御装置である使用制御装置が１つであるか複数であるかを判定し、
前記使用制御装置が１つであると判定した場合には、前記１つの使用制御装置に応じた第１の表示内容を自装置が備える前記表示部に表示させるための制御内容を前記使用制御装置に対して設定し、
前記使用制御装置が複数であると判定した場合には、前記複数の使用制御装置の組み合わせに応じて、前記第１の表示内容よりも情報量が少ない第２の表示内容を自装置が備える前記表示部に表示させる、または前記第１の表示内容を自装置が備える前記表示部に非表示とするための制御内容を前記使用制御装置の各々に対して設定する、
ことを含む処理をコンピュータに実行させるための放射線画像撮影システムの制御プログラム。
【発明の詳細な説明】
【技術分野】
【０００１】
本発明は、放射線画像撮影システム、制御装置、放射線画像撮影システムの制御方法、及び放射線画像撮影システムの制御プログラムに関する。
【背景技術】
【０００２】
従来、被写体を撮影する放射線画像撮影装置として、例えば医療診断を目的とした撮影を行う放射線画像撮影装置が知られている。放射線画像撮影装置は、放射線照射装置から放射線が照射され、被写体を透過した放射線を放射線検出器で検出して放射線画像を生成する。
【０００３】
放射線画像撮影装置を制御する制御装置として、画像処理機能が異なる複数の制御装置を備えた放射線画像撮影システムがある。例えば、特許文献１には、コンソールと携帯機器とを制御装置として用いた医療画像放送システムが記載されている。
【先行技術文献】
【特許文献】
【０００４】
【特許文献１】特開２０１３−１１１４０２号公報
【発明の概要】
【発明が解決しようとする課題】
【０００５】
複数の制御装置を備えた放射線画像撮影システムにおいて、放射線画像の撮影を行う場合、複数の制御装置を組み合わせて使用する場合もあれば、単独の制御装置を使用する場合もある。このように、放射線画像の撮影に使用する制御装置が異なる場合に、制御装置に対して制御内容を設定しなくてはならない場合がある。また、使用する制御装置によらず、制御内容を設定する場合があった。そのため、ユーザにとって、使い勝手が悪いと感じられる場合があり、使い勝手の向上が望まれる。
【０００６】
本開示は、ユーザにとって、放射線画像撮影システムの使い勝手を向上させることを目的とする。
【課題を解決するための手段】
【０００７】
上記課題を解決するため、本発明の一態様に係る放射線画像撮影システムは、表示部を備え、各々放射線画像の撮影に関する制御を行う、少なくとも１つが選択的に使用される複数の制御装置と、選択的に使用される制御装置である使用制御装置が１つであるか複数であるかを判定し、使用制御装置が１つであると判定した場合には、１つの使用制御装置に応じた第１の表示内容を自装置が備える表示部に表示させるための制御内容を使用制御装置に対して設定し、使用制御装置が複数であると判定した場合には、複数の使用制御装置の組み合わせに応じて、第１の表示内容よりも情報量が少ない第２の表示内容を自装置が備える表示部に表示させる、または第１の表示内容を自装置が備える表示部に非表示とするための制御内容を使用制御装置の各々に対して設定する設定部と、を備える。
【０００８】
また、本発明の一態様に係る放射線画像撮影システムの複数の制御装置の各々は、表示能力が互いに異なる表示部を備え、設定部は、使用制御装置が複数の場合には、複数の使用制御装置のうち、表示能力が相対的に低い表示部を備えた使用制御装置の表示部に表示される表示内容が、使用制御装置が１つの場合の表示部に表示される表示内容よりも少なくなる制御内容を設定してもよい。
【０００９】
また、本発明の一態様に係る放射線画像撮影システムは、使用制御装置が複数の場合に、予め定められた使用制御装置の表示部に表示される表示内容のうち、他の使用制御装置の表示部に表示されている表示内容と重複する表示内容は、他の表示内容より目立たなく表示させる制御を行う制御部をさらに備えてもよい。
【００１０】
また、本発明の一態様に係る放射線画像撮影システムの設定部は、使用制御装置が複数の場合に、複数の使用制御装置のうち、放射線画像の撮影を行う撮影室内で使用される使用制御装置には、撮影室内で表示することが予め定められた表示内容を設定してもよい。
【００１１】
また、本発明の一態様に係る放射線画像撮影システムは、使用制御装置が複数の場合に、複数の使用制御装置のうち少なくとも１つの使用制御装置の表示部に表示させる表示内容の指示を受け付ける表示内容受付部をさらに備え、設定部は、表示内容受付部が受け付けた表示内容を、少なくとも１つの使用制御装置に設定してもよい。
【００１２】
また、本発明の一態様に係る放射線画像撮影システムの設定部は、使用制御装置が、複数の相互に通信可能な制御装置の場合に、使用制御装置の組み合わせに応じた制御内容を使用制御装置の各々に設定してもよい。
【００１３】
また、本発明の一態様に係る放射線画像撮影システムは、放射線画像の撮影に関して予め定められた複数の撮影モードの中から選択された１つの撮影モードにより放射線画像を撮影する放射線画像撮影装置をさらに備え、設定部は、放射線画像撮影装置の撮影モードが変更された場合に、使用制御装置の制御内容を設定してもよい。
【００１４】
また、本発明の一態様に係る放射線画像撮影システムの複数の撮影モードは、撮影によって得られた複数の放射線画像の画像データを放射線画像撮影装置に一体化された記憶部に記憶するメモリモードを含み、設定部は、放射線画像撮影装置の撮影モードがメモリモードに変更された場合は、使用制御装置の制御内容を、１つの使用制御装置に応じた制御内容に設定してもよい。
【００１５】
また、本発明の一態様に係る放射線画像撮影システムは、制御内容を受け付ける制御内容受付部をさらに備え、設定部は、制御内容受付部が受け付けた制御内容を、使用制御装置に設定してもよい。
【００１６】
また、本発明の一態様に係る放射線画像撮影システムの設定部は、使用制御装置が複数の場合に、複数の使用制御装置のうち、少なくとも１つの使用制御装置に備えられていてもよい。
【００１７】
また、本発明の一態様に係る放射線画像撮影システムは、使用制御装置が複数である場合の少なくとも１つの使用制御装置は携帯型の制御装置であってもよい。
【００１８】
本発明の別の一態様に係る放射線画像撮影システムは、携帯型の制御装置及び非携帯型の制御装置を含み、各々が表示部を備え、各々が放射線画像の撮影に関する制御を行う、少なくとも１つが選択的に使用される複数の制御装置と、選択的に使用される制御装置である使用制御装置に対して、使用制御装置が携帯型及び非携帯型のいずれであるかを判定した判定結果、及び使用制御装置が１つ及び複数のいずれであるかを判定した判定結果に基づいて使用制御装置の表示部に表示する表示内容を設定し、使用制御装置が１つであると判定した場合には、１つの使用制御装置に応じた第１の表示内容を自装置が備える表示部に表示させるための制御内容を使用制御装置に対して設定し、使用制御装置が複数であると判定した場合には、複数の使用制御装置の組み合わせに応じて、第１の表示内容よりも情報量が少ない第２の表示内容を自装置が備える表示部に表示させる、または第１の表示内容を自装置が備える表示部に非表示とするための制御内容を使用制御装置の各々に対して設定する設定部と、を備える。
【００１９】
また、本発明の別の一態様に係る放射線画像撮影システムの携帯型の制御装置である場合の使用制御装置の表示部に表示する表示内容は、非携帯型の制御装置である場合の使用制御装置の表示部に表示する表示内容よりも情報量が少なくてもよい。
また、本発明の別の一態様に係る放射線画像撮影システムの携帯型の制御装置である場合の使用制御装置の表示部に表示する表示内容は、非携帯型の制御装置である場合の使用制御装置の表示部に表示する同一の項目の表示内容よりも情報量が少なくてもよい。
【００２０】
本発明の別の一態様に係る放射線画像撮影システムは、放射線画像の撮影に係る情報が表示される第１表示部を備え、単独で放射線画像の撮影に関する制御を行う場合は、第１表示部に第１の表示内容の表示が行われ、他の制御装置と組み合わされて放射線画像の撮影に関する制御を行う場合は、第１表示部に第１の表示内容よりも情報量が少ない第２の表示内容の表示が行われる、非携帯型の制御装置と、放射線画像の撮影に係る情報を表示させる、第１表示部よりも表示能力が低い第２表示部を備え、単独で放射線画像の撮影に関する制御を行う場合は、第２表示部に第１の表示内容よりも情報量が少ない第３の表示内容が表示され、他の制御装置と組み合わされて放射線画像の撮影に関する制御を行う場合は、第２表示部に第２の表示内容及び第３の表示内容のいずれよりも情報量が少ない第４の表示内容の表示が行われる、携帯型の制御装置と、を備える。
【００２１】
また、本発明の別の一態様に係る放射線画像撮影システムにおける携帯型の制御装置は、自装置の駆動に用いる電源を供給するバッテリを内蔵してもよい。
【００２２】
本発明の別の一態様に係る放射線画像撮影システムは、表示部を備え、各々放射線画像の撮影に関する制御を行う、少なくとも１つが選択的に使用される複数の制御部を有する制御装置と、選択的に使用される制御部である使用制御部が１つであるか複数であるかを判定し、使用制御部が１つであると判定した場合には、１つの使用制御部に応じた第１の表示内容を自装置が備える表示部に表示させるための制御内容を使用制御部に対して設定し、使用制御部が複数であると判定した場合には、複数の使用制御部の組み合わせに応じて、第１の表示内容よりも情報量が少ない第２の表示内容を自装置が備える表示部に表示させる、または第１の表示内容を自装置が備える表示部に非表示とするための制御内容を使用制御部の各々に対して設定する設定部と、を備える。
【００２３】
本発明の一態様に係る制御装置は、表示部を備え、各々放射線画像の撮影に関する制御を行う、少なくとも１つが選択的に使用される複数の制御装置のうちの１つであり、選択的に使用される制御装置である使用制御装置が１つであるか複数であるかを判定し、使用制御装置が１つであると判定した場合には、１つの使用制御装置に応じた第１の表示内容を自装置が備える表示部に表示させるための制御内容を使用制御装置に対して設定し、使用制御装置が複数であると判定した場合には、複数の使用制御装置の組み合わせに応じて、第１の表示内容よりも情報量が少ない第２の表示内容を自装置が備える表示部に表示させる、または第１の表示内容を自装置が備える表示部に非表示とするための制御内容を使用制御装置の各々に対して設定する設定部を備える。
【００２４】
本発明の一態様に係る放射線画像撮影システムの制御方法は、表示部を備え、各々放射線画像の撮影に関する制御を行う、少なくとも１つが選択的に使用される複数の制御装置を備えた放射線画像撮影システムの制御方法であって、選択的に使用される制御装置である使用制御装置が１つであるか複数であるかを判定し、使用制御装置が１つであると判定した場合には、１つの使用制御装置に応じた第１の表示内容を自装置が備える表示部に表示させるための制御内容を使用制御装置に対して設定し、使用制御装置が複数であると判定した場合には、複数の使用制御装置の組み合わせに応じて、第１の表示内容よりも情報量が少ない第２の表示内容を自装置が備える表示部に表示させる、または第１の表示内容を自装置が備える表示部に非表示とするための制御内容を使用制御装置の各々に対して設定する、ことを含む処理をコンピュータに実行させるためのものである。
【００２５】
本発明の一態様に係る放射線画像撮影システムの制御プログラムは、表示部を備え、各々放射線画像の撮影に関する制御を行う、少なくとも１つが選択的に使用される複数の制御装置を備えた放射線画像撮影システムの制御プログラムであって、選択的に使用される制御装置である使用制御装置が１つであるか複数であるかを判定し、使用制御装置が１つであると判定した場合には、１つの使用制御装置に応じた第１の表示内容を自装置が備える表示部に表示させるための制御内容を使用制御装置に対して設定し、使用制御装置が複数であると判定した場合には、複数の使用制御装置の組み合わせに応じて、第１の表示内容よりも情報量が少ない第２の表示内容を自装置が備える表示部に表示させる、または第１の表示内容を自装置が備える表示部に非表示とするための制御内容を使用制御装置の各々に対して設定する、ことを含む処理をコンピュータに実行させるためのものである。
【発明の効果】
【００２６】
本発明によれば、ユーザにとって、放射線画像撮影装置の使い勝手を向上させることができる、という効果が得られる。
【図面の簡単な説明】
【００２７】
【図１】第１実施形態の放射線画像撮影システムの一例を示す概略構成図である。
【図２】第１実施形態の放射線画像撮影装置、携帯情報端末装置、及びコンソールの概略構成の一例を示すブロック図である。
【図３】第１実施形態のコンソールの制御部によって実行されるコンソール処理の流れの一例を表したフローチャートである。
【図４】コンソールのディスプレイに制御モード確認画面が表示された状態の具体例を表す概略図である。
【図５Ａ】第１実施形態のコンソールの制御部で実行されるコンソール単独モード処理及びコンソール併用モード処理の流れの一例を表したフローチャートである。
【図５Ｂ】コンソール単独モード処理及びコンソール併用モード処理の図５Ａに続く流れの一例を表したフローチャートである。
【図６】コンソールのディスプレイに撮影初期画面が表示された状態の具体例を表す概略図である。
【図７】第１実施形態のコンソールの制御部で実行される撮影装置設定表示処理の流れの一例を表したフローチャートである。
【図８】コンソールのディスプレイに撮影装置設定画面が表示された状態の具体例を表す概略図である。
【図９】第１実施形態のコンソールの制御部で実行される撮影オーダ設定表示処理の流れの一例を表したフローチャートである。
【図１０】コンソールのディスプレイに撮影オーダ設定画面が表示された状態の具体例を表す概略図である。
【図１１】コンソールのディスプレイに撮影オーダ選択画面が表示された状態の具体例を表す概略図である。
【図１２】コンソールのディスプレイに撮影オーダ入力画面が表示された状態の具体例を表す概略図である。
【図１３】第１実施形態のコンソールの制御部で実行される被写体認証表示処理の流れの一例を表したフローチャートである。
【図１４】コンソールのディスプレイに被写体認証画面が表示された状態の具体例を表す概略図である。
【図１５】被写体認証画面に読取結果が表示された状態の具体例を表す概略図である。
【図１６】被写体認証画面に読取結果が表示された状態の具体例を表す概略図である。
【図１７】第１実施形態のコンソールの制御部で実行されるポジショニング関連表示処理の流れの一例を表したフローチャートである。
【図１８】コンソールのディスプレイにポジショニング関連画面が表示された状態の具体例を表す概略図である。
【図１９】コンソールのディスプレイに撮影開始画面が表示された状態の具体例を表す概略図である。
【図２０】コンソールのディスプレイに画像確認画面が表示された状態の具体例を表す概略図である。
【図２１】コンソールのディスプレイに撮影継続確認画面が表示された状態の具体例を表す概略図である。
【図２２】コンソールのディスプレイに、現在進行中の撮影状況に関する情報を表す撮影状況画面が表示された状態の具体例を表す概略図である。
【図２３】第１実施形態の携帯情報端末装置の端末制御部で実行される端末装置処理の流れの一例を表したフローチャートである。
【図２４】携帯情報端末装置のディスプレイに制御モード確認画面が表示された状態の具体例を表す概略図である。
【図２５Ａ】第１実施形態の携帯情報端末装置の端末制御部で実行される端末装置単独モード処理の流れの一例を表したフローチャートである。
【図２５Ｂ】端末装置単独モード処理の図２５Ａに続く流れの一例を表したフローチャートである。
【図２６】携帯情報端末装置のディスプレイに撮影初期画面が表示された状態の具体例を表す概略図である。
【図２７】携帯情報端末装置のディスプレイに撮影装置設定画面が表示された状態の具体例を表す概略図である。
【図２８】携帯情報端末装置のディスプレイに撮影オーダ設定画面が表示された状態の具体例を表す概略図である。
【図２９】携帯情報端末装置のディスプレイに撮影オーダ選択画面が表示された状態の具体例を表す概略図である。
【図３０】携帯情報端末装置のディスプレイに撮影オーダ入力画面が表示された状態の具体例を表す概略図である。
【図３１】携帯情報端末装置のディスプレイに被写体認証画面が表示された状態の具体例を表す概略図である。
【図３２】被写体認証画面に読取結果が表示された状態の具体例を表す概略図である。
【図３３】被写体認証画面に読取結果が表示された状態の具体例を表す概略図が示である。
【図３４】携帯情報端末装置のディスプレイにポジショニング関連画面が表示された状態の具体例を表す概略図である。
【図３５】携帯情報端末装置のディスプレイに撮影開始画面が表示された状態の具体例を表す概略図である。
【図３６】携帯情報端末装置のディスプレイに画像確認画面が表示された状態の具体例を表す概略図である。
【図３７】携帯情報端末装置のディスプレイに撮影継続確認画面が表示された状態の具体例を表す概略図である。
【図３８】携帯情報端末装置のディスプレイに、撮影状況に関する情報を表す撮影状況画面が表示された状態の具体例を表す概略図である。
【図３９】第１実施形態の携帯情報端末装置の端末制御部で実行される端末装置併用モード処理の流れの一例を表したフローチャートである。
【図４０】第２実施形態の放射線画像撮影システムの一例を示す概略構成図である。
【図４１】第２実施形態の放射線画像撮影装置、携帯情報端末装置、及びコンソールの概略構成の一例を示すブロック図である。
【図４２】第２実施形態のコンソールの制御部で実行されるコンソール単独モード処理及びコンソール併用モード処理の流れの一例を表したフローチャートである。
【図４３】コンソールのディスプレイに撮影初期画面が表示された状態の具体例を表す概略図である。
【図４４】第２実施形態のコンソールの制御部で実行されるコンソール単独モード処理における撮影準備表示処理の流れの一例を表したフローチャートである。
【図４５】コンソールのディスプレイに被写体情報登録画面が表示された状態の具体例を表す概略図である。
【図４６】被写体情報登録画面に撮影オーダが無いことを表す情報が表示された状態の具体例を表す概略図である。
【図４７】被写体情報登録画面に撮影オーダ情報が表示された状態の具体例を表す概略図である。
【図４８】コンソールのディスプレイにメニュー選択画面が表示された状態の具体例を表す概略図である。
【図４９】コンソールのディスプレイに撮影確認画面が表示された状態の具体例を表す概略図である。
【図５０】放射線画像の撮影後にコンソールのディスプレイに表示される撮影確認画面の状態の具体例を表す概略図である。
【図５１】第２実施形態のコンソールの制御部で実行されるコンソール併用モード処理における撮影準備表示処理の流れの一例を表したフローチャートである。
【図５２】コンソールのディスプレイにメニュー選択画面が表示された状態の具体例を表す概略図である。
【図５３】コンソールのディスプレイに撮影確認画面が表示された状態の具体例を表す概略図である。
【図５４】第２実施形態の携帯情報端末装置の端末制御部で実行される端末装置単独モード処理の流れの一例を表したフローチャートである。
【図５５】携帯情報端末装置のディスプレイに撮影初期画面が表示された状態の具体例を表す概略図である。
【図５６】第２実施形態の端末装置の端末制御部で実行される端末装置併用モード処理における撮影準備表示処理の流れの一例を表したフローチャートである。
【図５７】携帯情報端末装置のディスプレイに端末装置単独モード処理における被写体情報登録画面が表示された状態の具体例を表す概略図である。
【図５８】被写体情報登録画面に撮影オーダ情報が表示された状態の具体例を表す概略図である。
【図５９】携帯情報端末装置のディスプレイに端末装置単独モード処理におけるメニュー選択画面が表示された状態の具体例を表す概略図である。
【図６０】メニュー選択画面に参考図が重畳表示された状態の具体例を表す概略図である。
【図６１】携帯情報端末装置のディスプレイに撮影確認画面が表示された状態の具体例を表す概略図である。
【図６２】撮影確認画面にプレビュー画像が表示された状態の具体例を表す概略図である。
【図６３】携帯情報端末装置のディスプレイに端末装置併用モード処理における被写体情報登録画面が表示された状態の具体例を表す概略図である。
【図６４】携帯情報端末装置のディスプレイに端末装置併用モード処理におけるメニュー選択画面が表示された状態の具体例を表す概略図である。
【図６５】複数の携帯情報端末装置を備えた場合の放射線画像撮影システムの放射線画像撮影システムの一例を示す概略構成図である。
【図６６】放射線画像撮影装置、携帯情報端末装置、及びコンソールの概略構成のその他の一例を示すブロック図である。
【図６７】放射線画像撮影装置、携帯情報端末装置、及びコンソールの概略構成のさらにその他の一例を示すブロック図である。
【発明を実施するための形態】
【００２８】
以下、各図面を参照して本発明に係る実施形態の例を説明する。なお、図面において同一機能を有する部分には同一符号が付されており、重複する説明は適宜、省略する。
【００２９】
［第１実施形態］
まず、本実施形態の放射線画像撮影システムの概略構成について説明する。図１は、本実施形態の放射線画像撮影システムの一例を示す概略構成図である。
【００３０】
放射線画像撮影システム１０は、放射線照射装置１２、放射線画像撮影装置１４、携帯情報端末装置１６、及びコンソール１８を備えている。なお、図１では、放射線画像撮影装置１４、携帯情報端末装置１６、及びコンソール１８を１つずつ図示したが、放射線画像撮影システム１０が備えるこれらの数は限定されない。放射線画像撮影装置１４、携帯情報端末装置１６、及びコンソール１８の各々を複数備えていてもよい。また、放射線画像撮影装置１４、携帯情報端末装置１６、及びコンソール１８各々の数は、同一でなくてもよく、例えば、放射線画像撮影装置１４のみ複数備えていてもよい。
【００３１】
放射線照射装置１２は、放射線源１３を備えている。放射線照射装置１２は、放射線源１３から放射線Ｒ（例えばエックス線（Ｘ線）等）を被写体Ｗに照射する機能を有している。放射線照射装置１２の具体例としては、回診車等が挙げられる。放射線照射装置１２に対して放射線Ｒの照射の実行を指示する方法は、特に限定されないが、本実施形態では、携帯情報端末装置１６またはコンソール１８から照射の実行指示が行われる。
【００３２】
放射線画像撮影装置１４は、放射線照射装置１２から照射され、被写体Ｗを透過した放射線Ｒを検出する放射線検出器２０を備えている。放射線画像撮影装置１４は、放射線検出器２０を用いて、被写体Ｗの放射線画像を生成する機能を有している。本実施形態では、放射線画像撮影装置１４として電子カセッテを用いている。
【００３３】
本実施形態の携帯情報端末装置１６は携帯型の制御装置である。なお、本実施形態において「携帯型」とは、技師等のユーザが身につけて持ち歩くことが可能なものをいう。
【００３４】
また、「携帯型」の制御装置とは、内蔵バッテリにより駆動可能なものであってもよいし、外部電源によって駆動可能なものであってもよい。本実施形態の携帯情報端末装置１６は、内蔵バッテリ３９により駆動可能なものであって、具体的には、タブレット端末装置や、いわゆるＰＤＡ（Personal Digital Assistants）であるスマートフォン等が挙げられる。携帯情報端末装置１６は、例えば、ＲＩＳ（Radiology Information System）等の外部のシステムやコンソール１８から入力された撮影オーダのオーダ情報に基づいて、放射線画像撮影装置１４による放射線画像の撮影に関する制御を行う機能を有している。そのため、携帯情報端末装置１６は、上記外部のシステムやコンソール１８から、撮影オーダのオーダ情報を受け付けることができる。なお、携帯情報端末装置１６の具体的な種類等は特に限定されるものではなく、例えば、汎用的なＰＤＡやタブレット端末装置を用いてもよいし、専用（例えば、医療専用や放射線画像撮影システム１０専用等）の端末装置であってもよい。なお、携帯情報端末装置１６は、医療の現場や被写体Ｗの付近で用いられる場合があるため、表面に防水加工や抗菌加工が施してあることが好ましい。
【００３５】
コンソール１８は、例えば、ＲＩＳ等の外部のシステムから入力されたオーダ情報に基づいて、放射線画像撮影システム１０の全体を制御する機能や、放射線画像撮影装置１４による放射線画像の撮影を制御する機能を有している。そのため、コンソール１８は、上記外部のシステムから、オーダ情報を受け付けることができる。
【００３６】
なお、本実施形態の放射線画像撮影システム１０では、病棟、病室、及び手術室等の予め定められた撮影場所で放射線画像の撮影を行う場合は、放射線照射装置１２、放射線画像撮影装置１４、及び携帯情報端末装置１６を上記撮影場所に配置して、放射線画像の撮影を行う。この場合、コンソール１８は、放射線照射装置１２、放射線画像撮影装置１４、及び携帯情報端末装置１６を配置した撮影場所とは異なる場所（例えば、放射線科の診療室等）に配置した状態で撮影を行う。
【００３７】
本実施形態の放射線画像撮影システム１０では、携帯情報端末装置１６とコンソール１８とでは、放射線画像の撮影に関する制御を行う制御機能が異なっている。本実施形態において、放射線画像の撮影に関する制御とは、放射線照射装置１２及び放射線画像撮影装置１４の動作の制御と、撮影に関する各種情報の表示や、ユーザに操作を促すための表示等、表示に関する制御と、を含んでいる。
【００３８】
携帯情報端末装置１６は、コンソール１８が有する放射線画像の撮影に関する制御機能のうちの、一部の制御機能のみを有している。携帯情報端末装置１６及びコンソール１８は、各々、本開示の制御装置の一例である。本実施形態では、携帯情報端末装置１６及びコンソール１８を区別することなく総称する場合は、「制御装置」と称する。なお、放射線画像撮影システム１０が備える複数の制御装置のうち、放射線画像の撮影を行う場合に、選択的に使用されて、放射線画像の撮影に関する制御を行う制御装置が、本開示の「使用制御装置」の一例に対応する。
【００３９】
また、本実施形態の放射線画像撮影システム１０では、放射線画像の撮影に関する制御として、コンソール単独モード、端末装置単独モード、及び併用モードの３種類の制御モードがある。なお、本実施形態の制御モードは、本開示の制御内容に対応している。コンソール単独モードは、コンソール１８のみが、放射線画像の撮影に関する制御を行う制御モードである。端末装置単独モードは、携帯情報端末装置１６のみが、放射線画像の撮影に関する制御を行う制御モードである。併用モードは、携帯情報端末装置１６及びコンソール１８が放射線画像の撮影に関する制御を行う制御モードである。併用モードでは、コンソール１８が主に放射線画像の撮影に関する制御を行い、携帯情報端末装置１６は、コンソール１８の補助を行うものとして機能する。本実施形態の放射線画像撮影システム１０では、具体例として、携帯情報端末装置１６とコンソール１８との間で通信が可能な場合は、併用モードとすることができる。
【００４０】
次に、放射線画像撮影装置１４、携帯情報端末装置１６、及びコンソール１８の各機能について詳細に説明する。図２は、放射線画像撮影システム１０の放射線画像撮影装置１４、携帯情報端末装置１６、及びコンソール１８の概略構成の一例を示すブロック図である。
【００４１】
本実施形態の放射線画像撮影装置１４は、放射線検出器２０、撮影制御部２２、メモリ２４、Ｉ／Ｏ（Input-Output）部２６、及びＩ／Ｆ（Interface)部２８を備えている。放射線検出器２０、撮影制御部２２、メモリ２４、及びＩ／Ｏ部２６は、システムバスやコントロールバス等のバス２９を介して相互に各種情報の授受が可能に接続されている。
【００４２】
本実施形態の放射線画像撮影装置１４は、放射線照射装置１２と非同期に、放射線Ｒの照射開始を自装置で検出して、放射線画像の生成を行うものである。放射線画像撮影装置１４において放射線照射装置１２と非同期に、放射線Ｒの照射開始を自装置で検出する方法は、特に限定されない。例えば、照射された放射線Ｒの線量を検知する検知部を備え、検知部で検知した線量が照射開始として予め定められた閾値を超えた場合に、照射が開始されたことを検出してもよい。なお、放射線画像撮影装置１４は、本実施形態に限らず、被写体Ｗを透過した放射線Ｒに応じた放射線画像を生成する機能を有していればよい。
【００４３】
放射線検出器２０は、撮影制御部２２の制御により、被写体Ｗを透過した放射線Ｒを検出する機能を有している。本実施形態の放射線検出器２０は、特に限定されず、例えば、放射線Ｒを光に変換し、変換した光を電荷に変換する間接変換方式の放射線検出器であってもよいし、放射線Ｒを直接電荷に変換する直接変換方式の放射線検出器であってもよい。
【００４４】
撮影制御部２２は、放射線画像撮影装置１４の全体的な動作を制御する機能を有している。
【００４５】
撮影制御部２２は、ＣＰＵ（Central Processing Unit）、ＲＯＭ（Read Only Memory）、及びＲＡＭ（Random Access Memory）を備えている。ＲＯＭには、ＣＰＵで実行される、各種の処理プログラム等が予め記憶されている。ＲＡＭは、各種データを一時的に記憶する機能を有している。
【００４６】
メモリ２４には、撮影によって得られた放射線画像の画像データ等が記憶される。メモリ２４の具体例としては、ＳＳＤ（Solid State Drive）等が挙げられる。なお、メモリ２４は、放射線画像の撮影を行う場合に、放射線画像撮影装置１４と一体化されるものであればよく、例えば、ＵＳＢ（Universal Serial Bus）メモリ、ＳＤ（Secure Digital）メモリカード（登録商標）等、放射線画像撮影装置１４に着脱可能なものであってもよい。
【００４７】
Ｉ／Ｆ部２８はＩ／Ｏ部２６に接続されており、電波や光による無線通信等により、携帯情報端末装置１６やコンソール１８との間で各種情報の通信を行う機能を有している。本実施形態の放射線画像撮影装置１４は、携帯情報端末装置１６と通信を行う場合には、近距離無線通信を用い、コンソール１８と通信を行う場合には、無線ＬＡＮ（Local Area Network）通信を用いている。具体的には、放射線画像撮影装置１４は、携帯情報端末装置１６と通信を行う場合には、Bluetooth（登録商標）を用い、コンソール１８と通信を行う場合には、Wi-Fi（Wireless-Fidelity）を用いている。
【００４８】
本実施形態の携帯情報端末装置１６は、端末制御部３０、記憶部３２、読取部３３、ディスプレイドライバ３４、ディスプレイ３６、操作入力検出部３８、操作部４０、Ｉ／Ｏ部４２、及びＩ／Ｆ部４４を備えている。端末制御部３０、記憶部３２、読取部３３、ディスプレイドライバ３４、操作入力検出部３８、及びＩ／Ｏ部４２は、システムバスやコントロールバス等のバス４７を介して相互に各種情報の授受が可能に接続されている。
【００４９】
端末制御部３０は、携帯情報端末装置１６の全体の動作を制御する機能を有している。また、端末制御部３０は、コンソール１８や外部のシステムからＩ／Ｆ部４４を介してオーダ情報を取得する機能を有している。
【００５０】
端末制御部３０は、ＣＰＵ、ＲＯＭ、及びＲＡＭを備えている。ＲＯＭには、ＣＰＵで実行される、後述する端末装置処理プログラムを含む各種の処理プログラム等が予め記憶されている。ＲＡＭは、各種データを一時的に記憶する機能を有している。
【００５１】
本実施形態の読取部３３は、文字や画像等を読み取る機能を有している。具体的には、読取部３３はカメラ機能を有しており、バーコードリーダとして機能する。
【００５２】
本実施形態のディスプレイ３６は、本開示の表示部の一例であり、撮影に関する各種情報や撮影によって得られた放射線画像のプレビュー画像を表示する機能を有している。ディスプレイドライバ３４は、ディスプレイ３６への各種情報の表示を制御する機能を有している。本実施形態のディスプレイ３６は、コンソール１８のディスプレイ５６に比べて表示能力が低い。本実施形態において表示能力とは、表示領域の大きさや、解像度、及び階調数等のことをいう。ディスプレイ３６は、本開示の「表示能力が相対的に低い表示部」の一例である。なお、本実施形態において、「表示能力が相対的に低い」とは、複数の表示能力について総合的に評価した評価結果に基づいてもよいし、さらに、複数の表示能力について重み付けを行ったうえで総合的に評価してもよいし、複数の表示能力のうちの予め定められた表示能力について評価した評価に基づいてもよい。
【００５３】
具体的には、ディスプレイ３６は、表示領域の大きさ（画面サイズ）が小さい。より具体的には、ディスプレイ３６のサイズは、１０型（対角線の長さが２５ｃｍ相当）以下である。また、本実施形態のディスプレイ３６は、コンソール１８のディスプレイ５６に比べて解像度が低く、かつ階調数が少ない。また、本実施形態の携帯情報端末装置１６では、画像処理機能が、コンソール１８に比べて低い。そのため、端末制御部３０により画像処理された放射線画像は、コンソール１８の制御部５０により画像処理された放射線画像よりも低画質である。そのため、携帯情報端末装置１６のディスプレイ３６は、読影用の放射線画像の表示には適していない。なお、携帯情報端末装置１６の画像処理機能がコンソールと同じであったとしても、ディスプレイ３６の表示能力が低いため、ディスプレイ３６に表示可能な画像の画質は、コンソール１８のディスプレイ５６に表示可能な画像の画質よりも低くなる。
【００５４】
操作部４０は、放射線画像の撮影に関する指示や各種情報等を、ユーザが入力するために用いられる。本実施形態の操作部４０は、例えば、タッチパネル、タッチペン、キーボード、及びマウス等を含んでいる。なお、本実施形態では、ディスプレイ３６と操作部４０とを一体化して、タッチパネルディスプレイとして構成している。操作入力検出部３８は、操作部４０に対する操作状態を検出する機能を有している。
【００５５】
Ｉ／Ｏ部４２及びＩ／Ｆ部４４は、電波や光による無線通信等により、放射線画像撮影装置１４やコンソール１８との間で各種情報の通信を行う機能を有している。本実施形態の携帯情報端末装置１６は、放射線画像撮影装置１４と通信を行う場合には、近距離無線通信を用い、コンソール１８と通信を行う場合には、無線ＬＡＮ通信を用いている。具体的には、携帯情報端末装置１６は、放射線画像撮影装置１４と通信を行う場合には、Bluetooth（登録商標）を用い、コンソール１８と通信を行う場合には、Wi-Fiを用いている。
【００５６】
記憶部３２には、上述したオーダ情報等が記憶される。また、本実施形態の記憶部３２には、詳細を後述する各種画面等の表示を行うための情報が予め記憶されている。記憶部３２の具体例としては、ＳＳＤ等が挙げられる。なお、記憶部３２は、放射線画像の撮影を行う場合に、携帯情報端末装置１６と一体化されるものであればよく、例えば、ＵＳＢメモリ、ＳＤメモリカード等、携帯情報端末装置１６に着脱可能なものであってもよい。
【００５７】
本実施形態のコンソール１８は、サーバー・コンピュータとして機能する。コンソール１８は、制御部５０、記憶部５２、ディスプレイドライバ５４、ディスプレイ５６、操作入力検出部５８、操作部６０、読取部６１、Ｉ／Ｏ部６２、及びＩ／Ｆ部６４を備えている。制御部５０、記憶部５２、ディスプレイドライバ５４、操作入力検出部５８、読取部６１、及びＩ／Ｏ部６２は、システムバスやコントロールバス等のバス６７を介して相互に各種情報の授受が可能に接続されている。
【００５８】
制御部５０は、コンソール１８の全体の動作を制御する機能を有しており、ＣＰＵ、ＲＯＭ、ＲＡＭ、及びＨＤＤ（Hard Disk Drive）を備えている。ＲＯＭには、ＣＰＵで実行されるコンソール処理プログラムを含む各種の処理プログラム等が予め記憶されている。ＲＡＭは、各種データを一時的に記憶する機能を有している。ＨＤＤは、各種データを記憶して保持する機能を有している。
【００５９】
本実施形態のディスプレイ５６は、本開示の表示部の一例であり、撮影に関する各種情報や読影用の放射線画像等を表示する機能を有している。ディスプレイドライバ５４は、ディスプレイ５６への各種情報の表示を制御する機能を有している。本実施形態のディスプレイ５６は、携帯情報端末装置１６のディスプレイ３６に比べて表示領域の大きさ（画面サイズ）が大きい。また、本実施形態のディスプレイ５６は、携帯情報端末装置１６のディスプレイ３６に比べて解像度が高く、かつ階調数が多い。
【００６０】
本実施形態の放射線画像撮影システム１０では、ユーザが放射線画像の読影（診察及び診断を含む）を行う場合は、コンソール１８や、別途設けられたビューワ等の読影装置（図示省略）等を用いる。そのため、コンソール１８が有する画像処理機能は、ユーザの読影に耐え得る高画質の放射線画像を生成するためのものであり、携帯情報端末装置１６に比べて高い。制御部５０により画像処理された放射線画像は、携帯情報端末装置１６の端末制御部３０により画像処理された放射線画像よりも高画質である。そのため、コンソール１８のディスプレイ５６は、読影用の放射線画像の表示に適している。
【００６１】
操作部６０は、放射線画像の撮影に関する情報等を、ユーザが入力するために用いられる。本実施形態の操作部６０は、例えば、タッチパネル、タッチペン、キーボード、及びマウス等を含んでいる。なお、操作部６０をタッチパネルとする場合は、ディスプレイ５６と一体化してもよい。操作入力検出部５８は、操作部６０に対する操作状態を検出する機能を有している。
【００６２】
本実施形態の読取部６１は、携帯情報端末装置１６の読取部３３と同様に、文字や画像等を読み取る機能を有している。具体的には、読取部６１はカメラ機能を有しており、例えば、バーコードリーダとして機能する。
なお、本実施形態では、携帯情報端末装置１６の読取部３３またはコンソール１８の読取部６１で被写体Ｗを識別するための情報を読み取ることで被写体認証を行う。被写体認証方法は特に限定されず、例えば、具体例のようにバーコードリーダの場合、患者間違いを防止するために患者が装着する、患者名等の識別情報が文字やバーコード等で記されたリストバンドから文字やバーコードを識別情報として読み取って被写体認証に用いてもよい。また、予め被写体Ｗの顔写真を登録しておき、読取部３３や読取部６１で撮影した被写体Ｗの写真を登録されている顔写真と照合してもよい。また、その他の被写体Ｗの生体情報（例えば、指紋や虹彩等）を予め登録しておき、読取部３３や読取部６１により生体認証を行うようにしてもよい。
【００６３】
Ｉ／Ｏ部６２及びＩ／Ｆ部６４は、電波や光による無線通信等により、放射線画像撮影装置１４や携帯情報端末装置１６との間で各種情報の通信を行う機能を有している。本実施形態のコンソール１８は、放射線画像撮影装置１４及び携帯情報端末装置１６と通信を行う場合には、無線ＬＡＮ通信を用いている。具体的には、コンソール１８は、放射線画像撮影装置１４及び携帯情報端末装置１６と通信を行う場合には、Wi-Fiを用いている。
【００６４】
記憶部５２には、上述したオーダ情報等や放射線画像の画像データが記憶される。また、本実施形態の記憶部５２には、詳細を後述する各種画面等の表示を行うための情報が予め記憶されている。記憶部５２の具体例としては、ＨＤＤやＳＳＤ等が挙げられる。
【００６５】
なお、本実施形態の放射線画像撮影システム１０では、携帯情報端末装置１６の端末制御部３０、及びコンソール１８の制御部５０が、本開示の設定部、制御部、表示内容受付部、及び制御内容受付部として機能する。
【００６６】
次に、放射線画像を撮影する場合における本実施形態の放射線画像撮影システム１０の動作について説明する。
【００６７】
まず、コンソール１８の動作について説明する。図３には、本実施形態のコンソール１８の制御部５０で実行されるコンソール処理の流れの一例を表したフローチャートが示されている。本実施形態のコンソール１８では、制御部５０が自身のＲＯＭに記憶されているコンソール処理プログラムを実行することにより、コンソール処理を実行する。
【００６８】
なお、以下の説明において、ユーザがディスプレイ５６に表示された各種画面（詳細後述）において様々な指定や選択を行う場合は、操作部６０を介して行う。
【００６９】
なお、本コンソール処理は、操作部６０により放射線画像の撮影を行う旨が指示された場合、及び携帯情報端末装置１６から接続確認信号（詳細後述）を受信した場合等に実行される。
【００７０】
図３のステップＳ１００で制御部５０は、コンソール１８が携帯情報端末装置１６と接続可能であるか否かを判断する。上述したように、本実施形態の放射線画像撮影システム１０では、携帯情報端末装置１６とコンソール１８との間で通信が可能な場合は、併用モードとすることができるため、コンソール１８が携帯情報端末装置１６と接続可能であるか否かを判断する。なお、ここで「接続」とは、通信による接続を意味し、直接物理的に接続可能である必要はない。
【００７１】
制御部５０は、予め定められた接続確認信号を携帯情報端末装置１６との間でＩ／Ｆ部６４を介して送受信できた場合は、接続が可能であると判断する。また、制御部５０は、単に携帯情報端末装置１６から受動的に接続確認信号を受信した場合にも、接続が可能であると判断する。
【００７２】
携帯情報端末装置１６とコンソール１８との接続が不可能である場合は、ステップＳ１００において否定判定となり、ステップＳ１０２へ移行する。ステップＳ１０２で制御部５０は、詳細を後述するコンソール単独モード処理を実行した後、ステップＳ１１０へ移行する。
【００７３】
一方、携帯情報端末装置１６とコンソール１８との接続が可能である場合は、ステップＳ１００において肯定判定となり、ステップＳ１０４へ移行する。この場合、本実施形態の放射線画像撮影システム１０では、制御モードを併用モードとすることができる。しかしながら、この場合であってもユーザとしては、コンソール単独モードで撮影を行いたい場合がある。
【００７４】
そこでステップＳ１０４で制御部５０は、制御モード確認画面をディスプレイ５６に表示させる。図４には、コンソール１８のディスプレイ５６に制御モード確認画面７０が表示された状態の具体例を表す概略図が示されている。本実施形態では、制御モード確認画面７０には、制御モードとして併用モードを設定してよいか否かをユーザに確認するための表示が行われる。
【００７５】
図４に示した具体例の制御モード確認画面７０には、制御モードとして、併用モードと単独モードのいずれを設定するかの指定を促す情報７１、チェックボックス７２Ａ、７２Ｂ、及び送信ボタン７３が表示される。なお、この場合の「単独モード」は、コンソール１８のみが放射線画像の撮影に関する制御を行う単独モードである。
【００７６】
ユーザは、設定する制御モードに対応するチェックボックス７２Ａ、７２Ｂのいずれか一方を指定した後、送信ボタン７３を指定する。制御部５０は、送信ボタン７３が指定されたことを検出すると、ステップＳ１０６へ移行する。
【００７７】
制御部５０が、チェックボックス７２Ｂが指定されたことを検出した場合は、ステップＳ１０６で肯定判定となり、制御モードとして単独モードとするため、ステップＳ１０２へ移行する。
【００７８】
一方、制御部５０が、チェックボックス７２Ａが指定されたことを検出した場合は、ステップＳ１０６で否定判定となり、制御モードを併用モードとするため、ステップＳ１０８へ移行する。
【００７９】
ステップＳ１０８で制御部５０は、詳細を後述するコンソール併用モード処理を実行した後、ステップＳ１１０へ移行する。
【００８０】
ステップＳ１１０で制御部５０は、本コンソール処理を終了するか否かを判断する。例えば、ユーザが、放射線画像の撮影を終了することを指示していない場合等は、否定判定となってステップＳ１００に戻り、本コンソール処理を継続する。一方、ユーザが、放射線画像の撮影を終了することを指示した場合等は、肯定判定となり、本コンソール処理を終了する。
【００８１】
次に、本実施形態のコンソール１８で実行される、コンソール処理のステップＳ１０２（図３参照）のコンソール単独モード処理について説明する。
【００８２】
図５Ａ及び図５Ｂには、本実施形態のコンソール１８の制御部５０で実行されるコンソール単独モード処理の流れの一例を表したフローチャートが示されている。
【００８３】
図５ＡのステップＳ２００で制御部５０は、ディスプレイ５６に撮影初期画面を表示させる。具体的には、制御部５０は、記憶部５２に記憶されている撮影初期画面に関する情報を用いて、撮影初期画面を生成して、ディスプレイ５６に表示させる。
【００８４】
図６には、コンソール１８のディスプレイ５６に撮影初期画面７４が表示された状態の具体例を表す概略図が示されている。本実施形態の撮影初期画面７４には、ユーザが放射線画像の撮影に関する設定や指示を行うための表示が行われる。そのため、図６に示した具体例の撮影初期画面７４には、選択ボタン７５Ａ〜７５Ｅ、及び送信ボタン７６が表示される。選択ボタン７５Ａは、放射線画像撮影装置１４の設定を行う場合にユーザが選択するボタンである。選択ボタン７５Ｂは、撮影オーダの設定を行う場合にユーザが選択するボタンである。選択ボタン７５Ｃは、被写体照合を行う場合にユーザが選択するボタンである。選択ボタン７５Ｄは、ポジショニング関連の表示を行う場合にユーザが選択するボタンである。選択ボタン７５Ｅは、放射線画像の撮影開始をユーザが選択するためのボタンである。
【００８５】
ユーザは、選択ボタン７５Ａ〜７５Ｅのいずれか１つを選択した後、送信ボタン７６を指定する。制御部５０は、送信ボタン７６が指定されたことを検出すると、ステップＳ２０２Ａへ移行する。
【００８６】
ステップＳ２０２Ａで制御部５０は、撮影初期画面７４において「撮影装置設定」が選択されたか否かを判断する。選択ボタン７５Ａがユーザにより選択されたことを、制御部５０が検出した場合は、肯定判定となり、ステップＳ２０４へ移行する。
【００８７】
ステップＳ２０４で制御部５０は、図７に示した、撮影装置設定表示処理を実行する。図７には、本実施形態のコンソール１８の制御部５０で実行される撮影装置設定表示処理の流れの一例を表したフローチャートが示されている。
【００８８】
図７のステップＳ３００で制御部５０は、ディスプレイ５６に撮影装置設定画面を表示させる。具体的には、制御部５０は、記憶部５２に記憶されている撮影装置設定画面に関する情報や、放射線画像撮影システム１０に備えられている放射線画像撮影装置１４に関する情報を用いて、撮影装置設定画面を生成して、ディスプレイ５６に表示させる。
【００８９】
図８には、コンソール１８のディスプレイ５６に撮影装置設定画面７８が表示された状態の具体例を表す概略図が示されている。本実施形態の撮影装置設定画面７８には、ユーザが放射線画像撮影装置１４の設定を行うための表示が行われる。上述したように、放射線画像撮影システム１０は、複数の放射線画像撮影装置１４を備えている場合がある。そのような場合、複数の放射線画像撮影装置１４のうちから、放射線画像の撮影に用いる１つの放射線画像撮影装置１４を、コンソール１８からユーザが選択することができる。放射線画像撮影システム１０が３つの放射線画像撮影装置１４を備えている場合の具体例として、図８に示した撮影装置設定画面７８には、３つの放射線画像撮影装置１４の各々に対応するチェックボックス７９Ａ〜７９Ｃ、及び送信ボタン８０が表示される。
【００９０】
チェックボックス７９Ａ〜７９Ｃは、放射線画像の撮影に用いる放射線画像撮影装置１４をユーザが選択するためのものである。ユーザは、放射線画像の撮影に用いたい放射線画像撮影装置１４に対応するチェックボックス７９Ａ〜７９Ｃのいずれか１つを指定した後、送信ボタン８０を指定する。
【００９１】
そのため、次のステップＳ３０２Ａで制御部５０は、送信ボタン８０が指定されたか否かを判断し、送信ボタン８０が指定されたことを検出するまでそのまま待機し、送信ボタン８０が指定されたことを検出すると肯定判定となり、ステップＳ３０４へ移行する。
【００９２】
ステップＳ３０４で制御部５０は、チェックボックス７９Ａ〜７９Ｃのうち、ユーザにより指定されたチェックボックスを検出し、検出したチェックボックスに対応する放射線画像撮影装置１４に応じた設定を行った後、本撮影装置設定表示処理を終了する。
【００９３】
このようにして撮影装置設定表示処理が終了すると、コンソール単独モード処理のステップＳ２００に戻り、制御部５０は、再び撮影初期画面７４をディスプレイ５６に表示させる。
【００９４】
一方、ディスプレイ５６に表示された撮影初期画面７４において、ユーザが選択ボタン７５Ａ以外を選択した場合は、ステップＳ２０２Ａで否定判定となり、ステップＳ２０６Ａへ移行する。
【００９５】
ステップＳ２０６Ａで制御部５０は、撮影初期画面７４において「撮影オーダ設定」が選択されたか否かを判断する。選択ボタン７５Ｂがユーザにより選択されたことを、制御部５０が検出した場合は、肯定判定となり、ステップＳ２０８へ移行する。
【００９６】
ステップＳ２０８で制御部５０は、図９に示した、撮影オーダ設定表示処理を実行する。図９には、本実施形態のコンソール１８の制御部５０で実行される撮影オーダ設定表示処理の流れの一例を表したフローチャートが示されている。
【００９７】
図９のステップＳ３１０で制御部５０は、ディスプレイ５６に撮影オーダ設定画面を表示させる。具体的には、制御部５０は、記憶部５２に記憶されている撮影オーダ設定画面に関する情報を用いて、撮影オーダ設定画面を生成して、ディスプレイ５６に表示させる。
【００９８】
図１０には、コンソール１８のディスプレイ５６に撮影オーダ設定画面８２が表示された状態の具体例を表す概略図が示されている。本実施形態の撮影オーダ設定画面８２には、既存の撮影オーダの中から撮影に用いる撮影オーダを選択するか、新規の撮影オーダを入力するかをユーザが選択するための表示が行われる。図１０に示した具体例の撮影オーダ設定画面８２には、選択ボタン８３Ａ、８３Ｂ、及び送信ボタン８４が表示される。
【００９９】
記憶部５２に記憶されている既存の撮影オーダの中から、撮影に用いる撮影オーダを選択する場合は、ユーザは、選択ボタン８３Ａを選択した後、送信ボタン８４を指定する。そのため、送信ボタン８４が指定されたことを検出した場合は、ステップＳ３１２Ａへ移行する。
【０１００】
ステップＳ３１２Ａで制御部５０は、撮影オーダの選択を行うか否かを判断する。選択ボタン８３Ａがユーザにより選択されたことを、制御部５０が検出した場合は、肯定判定となり、ステップＳ３１４へ移行する。
【０１０１】
ステップＳ３１４で制御部５０は、ディスプレイ５６に撮影オーダ選択画面を表示させる。具体的には、制御部５０は、記憶部５２に記憶されている撮影オーダ選択画面に関する情報、及び記憶部５２に記憶されている撮影オーダのオーダ情報を用いて、撮影オーダ選択画面を生成して、ディスプレイ５６に表示させる。
【０１０２】
図１１には、コンソール１８のディスプレイ５６に撮影オーダ選択画面８６が表示された状態の具体例を表す概略図が示されている。図１１に示した具体例の撮影オーダ選択画面８６には、撮影オーダ１〜３の各々に対応するチェックボックス８７Ａ〜８７Ｃ、及び送信ボタン８８が表示される。また、本実施形態の撮影オーダ選択画面８６では、撮影オーダの選択を支援するために、各撮影オーダに対応するオーダ情報も表示させる。
【０１０３】
チェックボックス８７Ａ〜８７Ｃは、撮影オーダをユーザが選択するためのものである。なお、撮影が完了済みの撮影オーダのオーダ情報がある場合は、対応するチェックボックスにチェックが入った状態の表示を行う。
【０１０４】
ユーザは、撮影に用いる撮影オーダに対応するチェックボックス８７Ａ〜８７Ｃのいずれか１つを指定した後、送信ボタン８８を指定する。
【０１０５】
そのため、次のステップＳ３１６Ａで制御部５０は、送信ボタン８８が指定されたことを検出するまでそのまま待機し、送信ボタン８８が指定されたことを検出すると肯定判定となり、ステップＳ３１８へ移行する。
【０１０６】
ステップＳ３１８で制御部５０は、チェックボックス８７Ａ〜８７Ｃのうち、ユーザにより指定されたチェックボックスを検出し、検出したチェックボックスに対応する撮影オーダを記憶部５２から取得して、撮影に用いる撮影オーダとして設定した後、本撮影オーダ設定表示処理を終了する。これにより、以降では、設定された撮影オーダに基づいて放射線画像の撮影が行われる。
【０１０７】
一方、ステップＳ３１２Ａで選択ボタン８３Ｂがユーザにより選択されたことを、制御部５０が検出した場合は、否定判定となり、ステップＳ３２０へ移行する。
【０１０８】
一般的に、放射線画像の撮影を行う場合に、予め記憶部５２に記憶されているオーダ情報の撮影オーダとは別に、追加の撮影（以下、「追加撮影」という）の要求が発生する場合がある。追加撮影を行う場合、外部のシステム等から追加撮影に応じた撮影オーダのオーダ情報が取得できる場合は、取得して、記憶部５２に記憶させておけばよい。この場合の撮影オーダは、既存の撮影オーダとして、上述のように撮影オーダ選択画面８６から選択することができる。
【０１０９】
しかしながら、追加撮影に応じた撮影オーダのオーダ情報が取得できない場合があるため、ステップＳ３２０で制御部５０は、ディスプレイ５６に撮影オーダ入力画面を表示させる。具体的には、制御部５０は、記憶部５２に記憶されている撮影オーダ入力画面に関する情報を用いて、撮影オーダ入力画面を生成して、ディスプレイ５６に表示させる。
【０１１０】
図１２には、コンソール１８のディスプレイ５６に撮影オーダ入力画面９０が表示された状態の具体例を表す概略図が示されている。図１２に示した具体例の撮影オーダ入力画面９０には、撮影オーダの入力をユーザに促す情報９１、及び送信ボタン９２が表示される。
【０１１１】
ユーザは、情報９１に基づいて、撮影オーダを入力し、入力が終了すると、送信ボタン９２を指定する。なお、ユーザが入力する撮影オーダは、被写体氏名や撮影部位等のオーダ情報等、放射線画像の撮影に必要な情報が含まれていればよく、通常の撮影オーダ（外部のシステム等から取得した撮影オーダ）と異なっていてもよい。
【０１１２】
そのため、次のステップＳ３２２Ａで制御部５０は、送信ボタン９２が指定されたことを検出するまでそのまま待機し、送信ボタン９２が指定されたことを検出すると肯定判定となり、ステップＳ３２４へ移行する。
【０１１３】
ステップＳ３２４で制御部５０は、ユーザにより入力された撮影オーダを検出し、検出した撮影オーダを、撮影に用いる撮影オーダとして設定した後、本撮影オーダ設定表示処理を終了する。これにより、以降では、設定された撮影オーダに基づいて放射線画像の撮影が行われる。
【０１１４】
このようにして撮影オーダ設定表示処理が終了すると、コンソール単独モード処理のステップＳ２００に戻り、制御部５０は、再び撮影初期画面７４をディスプレイ５６に表示させる。
【０１１５】
一方、ディスプレイ５６に表示された撮影初期画面７４において、ユーザが選択ボタン７５Ｂ以外を選択した場合は、ステップＳ２０６Ａで否定判定となり、ステップＳ２１０Ａへ移行する。
【０１１６】
Ｓ２１０Ａで制御部５０は、撮影初期画面７４において「被写体認証」が選択されたか否かを判断する。選択ボタン７５Ｃがユーザにより選択されたことを、制御部５０が検出した場合は、肯定判定となり、ステップＳ２１２へ移行する。
【０１１７】
ステップＳ２１２で制御部５０は、図１３に示した、被写体認証表示処理を実行する。図１３には、本実施形態のコンソール１８の制御部５０で実行される被写体認証表示処理の流れの一例を表したフローチャートが示されている。
【０１１８】
図１３のステップＳ３３０で制御部５０は、ディスプレイ５６に被写体認証画面を表示させる。具体的には、制御部５０は、記憶部５２に記憶されている被写体認証画面に関する情報を用いて、被写体認証画面を生成して、ディスプレイ５６に表示させる。
【０１１９】
図１４には、コンソール１８のディスプレイ５６に被写体認証画面９４が表示された状態の具体例を表す概略図が示されている。本実施形態の被写体認証画面９４には、ユーザに被写体情報を読み取ることを促す情報の表示が行われる。図１４に示した具体例の被写体認証画面９４には、被写体情報を読み取ることを促す情報９５が表示される。
【０１２０】
ユーザは、被写体認証を行うために、被写体Ｗの名札やカルテ等に記載された被写体氏名、バーコード、及びＱＲコード（登録商標）等の二次元コード等を読取部６１で読み取る。
【０１２１】
そこで、次のステップＳ３３２Ａで制御部５０は、読取部６１で被写体情報を読み取ったか否かを判断し、読み取るまでは否定判定となる。一方、被写体情報を読み取った場合は、肯定判定となり、ステップＳ３３４へ移行する。
【０１２２】
ステップＳ３３４で制御部５０は、読み取った被写体情報に対応する撮影オーダが有るか否かを判断する。具体的には、記憶部５２に記憶された撮影オーダに、読み取った被写体情報が含まれる撮影オーダが有るか否かを判断する。また、制御部５０は、上述したように撮影オーダ設定表示処理によりユーザが設定した撮影オーダがある場合は、ユーザが設定した撮影オーダに読み取った被写体情報が含まれるか否かを判断し、含まれる場合は、撮影オーダが有ると判断する。一方、ユーザが設定した撮影オーダに読み取った被写体情報が含まれない場合は、撮影オーダが無いと判断する。
【０１２３】
読み取った被写体情報に対応する撮影オーダが無い場合は、否定判定となり、ステップＳ３３６へ移行する。
【０１２４】
ステップＳ３３６で制御部５０は、被写体認証画面９４に、撮影オーダが無いことを表す読取結果を表示させた後、ステップＳ３４０Ａへ移行する。図１５には、被写体認証画面９４に読取結果が表示された状態の具体例を表す概略図が示されている。図１５に示した具体例の被写体認証画面９４には、撮影オーダが無いことを表す情報９６、変更ボタン９８、及び確認ボタン９９が表示される。
【０１２５】
本実施形態の放射線画像撮影システム１０では、コンソール１８で読み取った被写体情報に対応する撮影オーダが無い場合とは、未だ撮影オーダが設定されていない場合や、読み取った被写体情報に対応する被写体Ｗが撮影を行う予定ではない被写体Ｗである場合等がある。
【０１２６】
ディスプレイ５６の被写体認証画面９４に表示された情報９６に応じて、ユーザは、被写体Ｗの撮影オーダが無いことを確認する。そしてユーザは、被写体Ｗの変更を行う場合は、変更ボタン９８を指定する。また、ユーザは、撮影オーダの設定を行う場合等は、確認ボタン９９を指定する。
【０１２７】
一方、ステップＳ３３４において、読み取った被写体情報に対応する撮影オーダが有る場合は、肯定判定となり、ステップＳ３３８へ移行する。
【０１２８】
ステップＳ３３８で制御部５０は、被写体認証画面９４に、撮影オーダのオーダ情報を読取結果として表示させた後、ステップＳ３４０Ａへ移行する。図１６には、被写体認証画面９４に読取結果が表示された状態の具体例を表す概略図が示されている。図１６に示した具体例の被写体認証画面９４には、撮影オーダのオーダ情報９７、変更ボタン９８、及び確認ボタン９９が表示される。
【０１２９】
ディスプレイ５６の被写体認証画面９４に表示されたオーダ情報９７に応じて、ユーザは、被写体Ｗの撮影オーダのオーダ情報を確認する。そしてユーザは、被写体Ｗの変更を行う場合は、変更ボタン９８を指定する。また、ユーザは、撮影オーダの設定等を行う場合等は、確認ボタン９９を指定する。
【０１３０】
次のステップＳ３４０Ａで制御部５０は、変更ボタン９８が指定されたか否かを判断する。具体的には、制御部５０は、変更ボタン９８が指定されたことを検出した場合は、肯定判定となり、ステップＳ３３０に戻り、本被写体認証表示処理を繰り返す。一方、制御部５０は、確認ボタン９９が指定されたことを検出した場合は、否定判定となり、本被写体認証表示処理を終了する。
【０１３１】
なお、本実施形態のコンソール１８では、被写体認証表示処理において、ユーザにより確認された撮影オーダを、撮影に用いる撮影オーダとして設定する。そのため、撮影オーダ設定表示処理によりユーザが撮影オーダの設定を行わない場合でも、被写体認証表示処理により設定された撮影オーダに基づいて、被写体Ｗの放射線画像の撮影を適切に行うことができる。
【０１３２】
このように、本実施形態の携帯情報端末装置１６では、被写体Ｗの認証を行うことにより、撮影を行う予定ではない被写体Ｗの放射線画像を撮影してしまうことを抑制することができる。
【０１３３】
なお、被写体認証の方法は上記の方法に限定されない。例えば、オーダ情報に被写体Ｗの顔を含む写真画像が含まれる場合は、制御部５０は、読取部６１により被写体Ｗの顔を写真撮影し、撮影した顔の画像を用いて顔認証等を行うことにより、被写体Ｗの認証を行ってもよい。また例えば、指紋認証等を利用してもよい。
【０１３４】
このようにして被写体認証表示処理が終了すると、コンソール単独モード処理のステップＳ２００に戻り、制御部５０は、再び撮影初期画面７４をディスプレイ５６に表示させる。
【０１３５】
一方、ディスプレイ５６に表示された撮影初期画面７４において、ユーザが選択ボタン７５Ｃ以外を選択した場合は、ステップＳ２１０Ａで否定判定となり、ステップＳ２１４Ａへ移行する。
【０１３６】
Ｓ２１４Ａで制御部５０は、撮影初期画面７４において「ポジショニング関連」が選択されたか否かを判断する。選択ボタン７５Ｄがユーザにより選択されたことを、制御部５０が検出した場合は、肯定判定となり、ステップＳ２１６へ移行する。
【０１３７】
ステップＳ２１６で制御部５０は、図１７に示した、ポジショニング関連表示処理を実行する。図１７には、本実施形態のコンソール１８の制御部５０で実行されるポジショニング関連表示処理の流れの一例を表したフローチャートが示されている。
【０１３８】
図１７のステップＳ３５０で制御部５０は、撮影に用いる撮影オーダとして設定されている撮影オーダのオーダ情報を取得する。なお、設定されている撮影オーダがない場合、制御部５０は、その旨を表すエラー表示をディスプレイ５６に行うことが好ましい。
【０１３９】
次のステップＳ３５２で制御部５０は、ポジショニングの参考図の画像データを取得する。本実施形態では、ユーザが被写体Ｗをポジショニングするための参考図をディスプレイ５６に表示させる。参考図は、例えば、放射線画像撮影装置１４に対して、被写体Ｗをどのようにポジショニングするか（配置するか）を図示するものである。そのため、本実施形態のコンソール１８では、撮影部位や被写体Ｗの年齢等に応じたポジショニングの参考図の画像データを、予め記憶部５２に記憶させておく。そして、制御部５０は、取得したオーダ情報に基づいて、ポジショニングの参考図の画像データを記憶部５２から取得する。
【０１４０】
次のステップＳ３５４で制御部５０は、ディスプレイ５６にポジショニング関連画面を表示させる。具体的には、制御部５０は、上記で取得したポジショニングの参考図の画像データ、及び記憶部５２に記憶されているポジショニング関連画面に関する情報を用いて、ポジショニング関連画面を生成して、ディスプレイ５６に表示させる。
【０１４１】
図１８には、コンソール１８のディスプレイ５６にポジショニング関連画面１００が表示された状態の具体例を表す概略図が示されている。本実施形態のポジショニング関連画面１００には、ポジショニングの参考図１０２の表示が行われる。図１８に示した具体例のポジショニング関連画面１００には、参考図１０２、撮影部位を表す情報１０３、及び完了ボタン１０４が表示される。
【０１４２】
ユーザは、参考図１０２を参照して、放射線画像撮影装置１４と放射線照射装置１２との間に被写体Ｗをポジショニングする。そして、ユーザは、ポジショニングが完了すると、完了ボタン１０４を指定する。
【０１４３】
次のステップＳ３５６Ａで制御部５０は、完了ボタン１０４が指定されたか否かを判断し、完了ボタン１０４が指定されたことを検出するまでそのまま待機し、完了ボタン１０４が指定されたことを検出すると肯定判定となり、本ポジショニング関連表示処理を終了する。
【０１４４】
このようにしてポジショニング関連表示処理が終了すると、コンソール単独モード処理のステップＳ２００に戻り、制御部５０は、再び撮影初期画面７４をディスプレイ５６に表示させる。
【０１４５】
一方、ディスプレイ５６に表示された撮影初期画面７４において、ユーザが選択ボタン７５Ｄ以外を選択した場合は、ステップＳ２１４Ａで否定判定となり、ステップＳ２１８へ移行する。撮影初期画面７４において、ユーザが選択ボタン７５Ａ〜７５Ｄを選択していない場合、すなわち、選択ボタン７５Ｅが選択された場合は、このようにステップＳ２１８へ移行する。
【０１４６】
ステップＳ２１８で制御部５０は、設定された撮影オーダのオーダ情報に基づいて、放射線画像撮影装置１４に撮影開始指示信号を送信する。撮影開始信号を受信すると放射線画像撮影装置１４の撮影制御部２２は、放射線検出器２０のステータス（状態）を、待機状態から放射線Ｒの検出が即座に行える状態であるレディ状態に移行させる制御を行う。本実施形態における「待機状態」とは、放射線画像撮影装置１４の電源スイッチ（図示省略）がオンになっており、放射線画像の撮影が指示されることを待機している状態をいう。また、本実施形態における「レディ状態」とは、放射線検出器２０が即座に撮影可能な状態をいい、放射線Ｒの照射開始を待機している状態をいう。このように、レディ状態では、例えば、放射線検出器２０は放射線Ｒの照射開始を検出するための動作等を行っているため、待機状態に比べて電力の消費量が多くなる。
【０１４７】
次のステップＳ２２０で制御部５０は、ディスプレイ５６に撮影開始画面を表示させる。具体的には、制御部５０は、記憶部５２に記憶されている撮影開始画面に関する情報を用いて、撮影開始画面を生成して、ディスプレイ５６に表示させる。
【０１４８】
図１９には、コンソール１８のディスプレイ５６に撮影開始画面１０６が表示された状態の具体例を表す概略図が示されている。本実施形態の撮影開始画面１０６には、ユーザが放射線の照射等に関する指示を行うための表示が行われる。そのため、図１９に示した具体例の撮影開始画面１０６には、放射線画像撮影装置１４の状態（ここではレディ状態）を表す情報１０７、照射開始ボタン１０８、及び撮影に用いる撮影オーダのオーダ情報１１０が表示される。
【０１４９】
本実施形態の制御部５０は、放射線画像撮影装置１４に上記撮影開始信号を送信したことにより、放射線画像撮影装置１４がレディ状態に移行したとみなして、情報１０７を表示する。なお、本実施形態に限らず、制御部５０は、放射線画像撮影装置１４から、放射線画像撮影装置１４が上記撮影開始信号を受信したことを表す信号を受信した場合に、放射線画像撮影装置１４がレディ状態に移行したとみなしてもよい。照射開始ボタン１０８は、放射線Ｒの照射開始を指示する場合にユーザが指定するものである。
【０１５０】
ステップＳ２２２で制御部５０が、放射線Ｒの照射開始を指示されたか否かを判断する。本実施形態では、制御装置としてコンソール１８が放射線画像撮影装置１４に接続されている場合、コンソール１８から放射線照射装置１２に放射線画像の撮影を指示することができる。そのため、ステップＳ２２２で制御部５０は、照射開始ボタン１０８が指定されたことを検出するまで待機し、照射開始ボタン１０８が指定されたことを検出した場合は、肯定判定となり、ステップＳ２２４へ移行する。
【０１５１】
ステップＳ２２４で制御部５０は、放射線照射装置１２に放射線Ｒの照射開始を指示する照射開始信号を送信する。放射線照射装置１２は、コンソール１８から送信された照射開始信号を受信した場合、放射線Ｒの照射を行う。
【０１５２】
以上のコンソール１８による制御により、放射線検出器２０は、放射線照射装置１２から照射され、被写体Ｗを透過した放射線Ｒを検出することにより、被写体Ｗに応じた放射線画像を生成する。
【０１５３】
放射線画像撮影装置１４では放射線画像の撮影が行われ、撮影によって得られた放射線画像の画像データがコンソール１８に送信される。なお、本実施形態の放射線画像撮影システム１０では、放射線画像撮影装置１４からコンソール１８には、生の画像データ（以下、「生データ」という）に、放射線画像撮影装置１４でオフセット補正、ゲイン補正、及び欠陥画素等の画像処理を行った放射線の画像データが送信される。なお、放射線画像撮影装置１４が行う画像処理は、本実施形態に限定されない。また、放射線画像撮影装置１４は、画像処理を行わずに生データをコンソール１８に送信してもよい。
【０１５４】
ステップＳ２２６で制御部５０は、放射線画像の画像データを受信したか否かを判断する。受信するまで待機し、受信した場合は、ステップＳ２２８へ移行する。
【０１５５】
ステップＳ２２８で制御部５０は、受信した放射線画像の画像データから読影用の放射線画像を生成する。本実施形態の制御部５０は、予め定められた画像処理としてＧＰＲ（Grid Pattern Removal）、ＦＮＣ（Flexible Noise Control）、ＭＦＰ（Multi-Objective Frequency Processing）、ＥＤＲ（Exposure Data Recognizer）、及びＶＧ（Virtual Grid（登録商標））等の画像処理を、受信した放射線画像の画像データに行い、読影用の放射線画像を生成する。なお、ここで表示する読影用の放射線画像は、少なくとも放射線画像の撮影の適否を確認でき、かつプレビュー用の放射線画像（以下、「プレビュー画像」という）等より高画質であればよく、医師等による実際の診察や診断に用いる読影用の放射線画像よりも低画質であってもよい。
【０１５６】
次のステップＳ２３０で制御部５０は、ディスプレイ５６に画像確認画面１１２を表示させる。次のステップＳ２３４で制御部５０は、受信した放射線画像の画像データを記憶部５２に記憶させる。なお、上記ステップＳ２２８で生成した放射線画像の画像データを記憶部５２に記憶させてもよい。
【０１５７】
図２０には、コンソール１８のディスプレイ５６に画像確認画面１１２が表示された状態の具体例を表す概略図が示されている。本実施形態の画像確認画面１１２には、ユーザが撮影された放射線画像を確認するための表示が行われる。そのため、図２０に示した具体例の画像確認画面１１２には、読影用の放射線画像１１４、撮影に用いた撮影オーダのオーダ情報１１０、チェックボックス１１５、１１６、及び終了ボタン１１７が表示される。
【０１５８】
なお、制御部５０が画像確認画面１１２に表示させる放射線画像は、本実施形態に限らない。例えば、受信した放射線画像の画像データからプレビュー画像を生成し、画像確認画面１１２に表示させてもよい。
【０１５９】
プレビュー画像とは、被写体Ｗに関する放射線画像の撮影が適切に行われたか否か、少なくとも再撮影の必要があるか否かをユーザが判断することができる画像である。プレビュー画像を生成する場合、本実施形態の制御部５０は、読影用の放射線画像を生成する場合に行われる複数の予め定められた画像処理のうち、比較的時間を要さないものを画像処理として用いる。また、本実施形態の制御部５０では、プレビュー画像を生成するための画像処理として、放射線画像の画像データを間引く画像処理も行っている。これにより、プレビュー画像の画像データのデータ量は、生データよりも小さくなる。
【０１６０】
なお、コンソール１８において制御部５０が読影用の放射線画像を生成するために行う画像処理や、プレビュー画像を生成するために行う画像処理に関する情報をディスプレイ５６に表示して、ユーザにそれぞれの画像の生成に用いる画像処理の選択や、各画像処理におけるパラメータの設定をさせてもよい。
【０１６１】
ユーザは、読影用の放射線画像１１４を確認し、再撮影を行うか否かを判断する。本実施形態のコンソール１８では、ユーザが再撮影を指示する場合は、ディスプレイ５６に表示されたチェックボックス１１６を指定した後、終了ボタン１１７を指定する。
【０１６２】
一方、再撮影を行わず、撮影を完了する場合は、ユーザは、ディスプレイ５６に表示されたチェックボックス１１５を指定した後、終了ボタン１１７を指定する。
【０１６３】
次のステップＳ２３６で制御部５０は、これらの操作を検出する。制御部５０は、チェックボックス１１６が指定されたことを検出した場合は、肯定判定となり、ステップＳ２３８に移行する。ステップＳ２３８で制御部５０は、再撮影指示情報を放射線画像撮影装置１４に送信した後、ステップＳ２２０に戻る。再撮影指示情報を受信した放射線画像撮影装置１４の撮影制御部２２は、放射線検出器２０をレディ状態に移行し、再び放射線画像の撮影を行う。
【０１６４】
なお、同一の被写体Ｗについて複数枚の放射線画像を撮影する等、１つの撮影オーダに複数枚の放射線画像の撮影が指示されている場合、制御部５０は、ステップＳ２２０〜Ｓ２３８の処理を繰り返して行う。また、動画撮影等、１回の放射線Ｒの照射期間中に複数枚の放射線画像の撮影を行う場合、制御部５０は、ステップＳ２２６〜Ｓ２３４の処理を繰り返して行う。
【０１６５】
一方、チェックボックス１１５が指定されたことを制御部５０が検出した場合は、否定判定となり、ステップＳ２４０へ移行する。ステップＳ２４０で制御部５０は、撮影完了指示情報を放射線画像撮影装置１４に送信した後、ステップＳ２４２へ移行する。撮影完了指示情報を受信した放射線画像撮影装置１４の撮影制御部２２は、放射線検出器２０をスリープ状態に移行する。なお、本実施形態における「スリープ状態」とは、放射線画像撮影装置１４において、撮影制御部２２のＣＰＵのみが動作している状態であり、待機状態よりも消費電力が少ない状態をいう。
【０１６６】
ステップＳ２４２で制御部５０は、撮影に用いた撮影オーダのオーダ情報を放射線画像の画像データに関連付けて記憶部５２に記憶させる。
【０１６７】
ステップＳ２４４で制御部５０は、撮影継続確認画面をディスプレイ５６に表示させる。図２１には、コンソール１８のディスプレイ５６に撮影継続確認画面１１８が表示された状態の具体例を表す概略図が示されている。本実施形態の撮影継続確認画面１１８には、放射線画像の撮影を継続するか否かをユーザが選択するための表示が行われる。そのため、図２１に示した具体例の撮影継続確認画面１１８には、放射線画像の撮影を継続するか否かの選択をユーザに促す情報１１９、継続ボタン１２０Ａ、終了ボタン１２０Ｂ、及び送信ボタン１２１が表示される。
【０１６８】
他の撮影オーダを用いて撮影を行いたい場合等、放射線画像の撮影を継続する場合、ユーザは、ディスプレイ５６に表示された継続ボタン１２０Ａを指定した後、送信ボタン１２１を指定する。なお、ここで撮影の「継続」とは、被写体Ｗが同一であるか否かについては係わらない。
【０１６９】
一方、放射線画像の撮影を継続しない場合や、制御モードとして、単独モードを継続しない場合（制御モードを変更したい場合）等は、ユーザは、ディスプレイ５６に表示された終了ボタン１２０Ｂを指定した後、送信ボタン１２１を指定する。
【０１７０】
次のステップＳ２４６で制御部５０は、これらの操作を検出する。制御部５０は、継続ボタン１２０Ａが指定されたことを検出した場合は、肯定判定となり、ステップＳ２００に移行する。なお、本実施形態のコンソール１８では、放射線画像の撮影を継続する場合は、放射線画像撮影装置１４に継続信号を送信する。継続信号を受信すると、放射線画像撮影装置１４の撮影制御部２２は、放射線検出器２０を待機状態に移行させる。
【０１７１】
一方、終了ボタン１２０Ｂが指定されたことを制御部５０が検出した場合は、否定判定となり、本コンソール単独モード処理を終了して、上述したように、コンソール処理のステップＳ１１０に戻る。
【０１７２】
なお、コンソール１８の制御部５０が、放射線画像の撮影に関してディスプレイ５６に表示させる表示内容は、上述したものに限らない。例えば、放射線画像の撮影中に、現在進行中の撮影状況に関する情報を表す表示を行ってもよい。図２２には、コンソール１８のディスプレイ５６に、現在進行中の撮影状況に関する情報を表す撮影状況画面１２２が表示された状態の具体例を表す概略図が示されている。図２２に示した具体例の撮影状況画面１２２には、放射線画像１２３、インジケータ１２４、及び撮影に用いた撮影オーダのオーダ情報１１０が表示される。放射線画像１２３は、撮影中に表示が行われるため、撮影に連動して、リアルタイムで表示することが好ましい。そのため、読影用の放射線画像を生成する場合よりも、画像処理を簡略化して生成した放射線画像１２３であることが好ましく、例えば、上述したプレビュー画像であってもよい。また、インジケータ１２４は、撮影の開始からの経過時間（終了までの残り時間）を表示するものである。例えば、動画撮影や、所定の時間（具体例として１０秒）内であれば複数回の撮影が可能な撮影など、一般的な１枚の放射線画像の撮影と比較して長時間にわたる撮影を行う場合がある。このような場合、インジケータ１２４を表示することにより、撮影の開始からの経過時間（終了までの残り時間）をユーザが認識することができるため好ましい。
【０１７３】
次に、本実施形態のコンソール１８で実行される、コンソール処理のステップＳ１０８（図３参照）のコンソール併用モード処理について説明する。制御モードが併用モードの場合、コンソール１８では、コンソール併用モード処理が実行される。
【０１７４】
一般撮影室等の撮影室で撮影を行う場合、撮影に関する指示や操作に関してユーザは、被写体Ｗがいる撮影室内では携帯情報端末装置１６を用い、撮影室外（例えば、コンソール室等）では据え置かれているコンソール１８を用いる場合がある。本実施形態の放射線画像撮影システム１０では、このような場合に、制御モードを併用モードとして使用することができる。
【０１７５】
上述したように、放射線画像撮影システム１０の制御モードが併用モードの場合は、放射線画像の撮影に関する制御を携帯情報端末装置１６及びコンソール１８が行う。本実施形態では、コンソール１８が主となる制御を行い、携帯情報端末装置１６はコンソール１８の補助として機能する。本実施形態では、放射線画像撮影装置１４に対して制御を直接行えるのはコンソール１８であり、携帯情報端末装置１６は、コンソール１８を介して制御を行う。このように、放射線画像撮影装置１４に対して直接制御を行える制御装置をコンソール１８の１台のみとすることにより、複数の制御装置から放射線画像撮影装置１４に対して制御を行うことにより齟齬が生じるのを抑制することができる。
【０１７６】
本実施形態のコンソール１８の制御部５０で実行されるコンソール併用モード処理全体の流れは、上述のコンソール単独モード処理（図５Ａ、５ｂ参照）と同様であるため全体の流れの詳細な説明は省略し、異なる処理のみ説明する。
【０１７７】
本実施形態の制御部５０は、コンソール併用モード処理を実行する場合も、コンソール単独モード処理を実行する場合と同様に、ユーザは、上述した撮影初期画面７４（図６参照）に表示される、各種の指示及び設定を行うことができる。そのため、制御部５０は、ディスプレイ５６に上述した、各種画面を表示させる。また、併用モードの場合、ユーザは、携帯情報端末装置１６から、上記撮影初期画面７４（図６参照）に表示される、各種の指示及び設定を行うことができる。そのため、携帯情報端末装置１６のディスプレイ３６にも、撮影初期画面７４（図６参照）と同様の画面が表示される。ユーザは、携帯情報端末装置１６の操作部４０を介して、各種画面に対応した指定を行うことができる。
【０１７８】
このように、携帯情報端末装置１６の操作部４０を介して指定を行った場合は、携帯情報端末装置１６は、コンソール１８に、ユーザが指定した内容を表す指定内容信号を送信する。指定内容信号を受信した場合、コンソール１８の制御部５０は、自装置の操作部６０を介してユーザが指定を行う場合と同様の処理を行う。
【０１７９】
すなわち、コンソール併用モード処理（図５Ａ参照）のステップＳ２０２Ｂで制御部５０は、携帯情報端末装置１６のディスプレイ３６に表示された撮影初期画面１３４の選択ボタン１３５Ａまたはコンソール１８のディスプレイ５６に表示された撮影初期画面７４の選択ボタン７５Ａが選択されたか否かを判断する。
【０１８０】
また、コンソール併用モード処理（図５Ａ参照）のステップＳ２０６Ｂで制御部５０は、携帯情報端末装置１６のディスプレイ３６に表示された撮影初期画面１３４の選択ボタン１３５Ｂまたはコンソール１８のディスプレイ５６に表示された撮影初期画面７４の選択ボタン７５Ｂが選択されたか否かを判断する。
【０１８１】
また、コンソール併用モード処理（図５Ａ参照）のステップＳ２１０Ｂで制御部５０は、携帯情報端末装置１６のディスプレイ３６に表示された撮影初期画面１３４の選択ボタン１３５Ｃまたはコンソール１８のディスプレイ５６に表示された撮影初期画面７４の選択ボタン７５Ｃが選択されたか否かを判断する。
【０１８２】
コンソール併用モード処理（図５Ａ参照）のステップＳ２１４Ｂで制御部５０は、携帯情報端末装置１６のディスプレイ３６に表示された撮影初期画面１３４の選択ボタン１３５Ｄまたはコンソール１８のディスプレイ５６に表示された撮影初期画面７４の選択ボタン７５Ｄが選択されたか否かを判断する。
【０１８３】
同様に、撮影装置設定表示処理（図７参照）のステップＳ３０２Ｂで制御部５０は、携帯情報端末装置１６のディスプレイ３６に表示された撮影装置設定画面１３８の送信ボタン１４０、またはコンソール１８のディスプレイ５６に表示された撮影装置設定画面７８の送信ボタン８０が指定されたか否かを判断する。
【０１８４】
同様に、撮影オーダ設定表示処理（図９参照）のステップＳ３１２Ｂで制御部５０は、携帯情報端末装置１６のディスプレイ３６に表示された撮影オーダ設定画面１４２の選択ボタン１４３Ａ、またはコンソール１８のディスプレイ５６に表示された撮影オーダ設定画面８２の選択ボタン８３Ａがユーザにより選択されたことを検出した場合は、肯定判定となり、ステップＳ３１４へ移行する。
【０１８５】
また、撮影オーダ設定表示処理（図９参照）のステップＳ３１６Ｂで制御部５０は、携帯情報端末装置１６のディスプレイ３６に表示された撮影オーダ選択画面１４６の送信ボタン１４８、またはコンソール１８のディスプレイ５６に表示された撮影オーダ選択画面８６の送信ボタン８８が指定されたか否かを判断する。
【０１８６】
また、撮影オーダ設定表示処理（図９参照）のステップＳ３２２Ｂで制御部５０は、携帯情報端末装置１６のディスプレイ３６に表示された撮影オーダ入力画面１５０の送信ボタン１５２、またはコンソール１８のディスプレイ５６に表示された撮影オーダ入力画面９０の送信ボタン９２が指定されたか否かを判断する。
【０１８７】
同様に、被写体認証表示処理（図１３参照）のステップＳ３３２Ｂで制御部５０は、携帯情報端末装置１６の読取部３３またはコンソール１８の読取部６１で被写体情報を読み取ったか否かを判断する。
【０１８８】
また、被写体認証表示処理（図１３参照）のステップＳ３４０Ｂで制御部５０は、携帯情報端末装置１６のディスプレイ３６に表示された被写体認証画面１５４の変更ボタン１５８（確認ボタン１５９）、またはコンソール１８のディスプレイ５６に表示された被写体認証画面９４の変更ボタン９８（確認ボタン９９）が指定されたか否かを判断する。
【０１８９】
また、ポジショニング関連表示処理（図１７参照）のステップＳ３５６Ｂで制御部５０は、携帯情報端末装置１６のディスプレイ３６に表示されたポジショニング関連画面１６０の完了ボタン１６４、またはコンソール１８のディスプレイ５６に表示されたポジショニング関連画面１００の完了ボタン１０４が指定されたか否かを判断する。
【０１９０】
以上の処理により、本実施形態のコンソール１８では、併用モードの場合においても、放射線画像の撮影に関する制御を行うことができる。
【０１９１】
次に、携帯情報端末装置１６の動作について説明する。図２３には、本実施形態の携帯情報端末装置１６の端末制御部３０で実行される端末装置処理の流れの一例を表したフローチャートが示されている。本実施形態の携帯情報端末装置１６では、端末制御部３０が自身のＲＯＭに記憶されている端末装置処理プログラムを実行することにより、端末装置処理を実行する。
【０１９２】
なお、以下の説明において、ユーザがディスプレイ３６に表示された各種画面（詳細後述）において様々な指定や選択を行う場合は、操作部４０を介して行う。
【０１９３】
なお、本端末装置処理は、操作部４０により放射線画像の撮影を行う旨が指示された場合、及びコンソール１８から接続確認信号を受信した場合等に実行される。
【０１９４】
図２３のステップＳ４００で端末制御部３０は、携帯情報端末装置１６がコンソール１８と接続可能であるか否かを判断する。上述したように、本実施形態の放射線画像撮影システム１０では、携帯情報端末装置１６とコンソール１８との間で通信が可能な場合は、併用モードとすることができるため、携帯情報端末装置１６がコンソール１８と接続可能であるか否かを判断する。接続可能であるかの判断方法は、コンソール処理（図３参照）の全体の流れのステップＳ１００と同様である。
【０１９５】
携帯情報端末装置１６とコンソール１８との接続が不可能である場合は、ステップＳ４００において否定判定となり、ステップＳ４０２へ移行する。ステップＳ４０２で端末制御部３０は、詳細を後述する端末装置単独モード処理を実行した後、ステップＳ４１０へ移行する。
【０１９６】
一方、携帯情報端末装置１６とコンソール１８との接続が可能である場合は、ステップＳ４００において肯定判定となり、ステップＳ４０４へ移行する。この場合、本実施形態の放射線画像撮影システム１０では、制御モードを併用モードとすることができる。しかしながら、この場合であってもユーザとしては、端末装置単独モードで撮影を行いたい場合がある。
【０１９７】
そこでステップＳ４０４で端末制御部３０は、制御モード確認画面をディスプレイ３６に表示させる。図２４には、携帯情報端末装置１６のディスプレイ３６に制御モード確認画面１３０が表示された状態の具体例を表す概略図が示されている。制御モード確認画面１３０は、コンソール１８で表示される制御モード確認画面７０に対応している。
【０１９８】
図２４に示した具体例の制御モード確認画面１３０には、制御モードとして、併用モードと単独モードのいずれを設定するかの指定を促す情報１３１、チェックボックス１３２Ａ、１３２Ｂ、及び送信ボタン１３３が表示される。なお、この場合の「単独モード」は、携帯情報端末装置１６のみが放射線画像の撮影に関する制御を行う単独モードである。
【０１９９】
ユーザは、設定する制御モードに対応するチェックボックス１３２Ａ、１３２Ｂのいずれか一方を指定した後、送信ボタン１３３を指定する。端末制御部３０は、送信ボタン１３３が指定されたことを検出すると、ステップＳ４０６へ移行する。
【０２００】
端末制御部３０が、チェックボックス１３２Ｂが指定されたことを検出した場合は、ステップＳ４０６で肯定判定となり、制御モードとして単独モードとするため、ステップＳ４０２へ移行する。
【０２０１】
一方、端末制御部３０が、チェックボックス１３２Ａが指定されたことを検出した場合は、ステップＳ４０６で否定判定となり、制御モードを併用モードとするため、ステップＳ４０８へ移行する。
【０２０２】
ステップＳ４０８で端末制御部３０は、詳細を後述する端末装置併用モード処理を実行した後、ステップＳ４１０へ移行する。
【０２０３】
ステップＳ４１０で端末制御部３０は、本端末装置処理を終了するか否かを判断する。本端末装置処理を終了するか否かの判断方法は、コンソール処理（図３参照）の全体の流れのステップＳ１１０と同様である。ステップＳ４１０で否定判定となった場合は、ステップＳ４００に戻り、本端末装置処理を継続する。一方、ステップＳ４１０で肯定判定となった場合は、本端末装置処理を終了する。
【０２０４】
なお、制御モードの錯綜を防ぐために、コンソール処理（図３参照）において、コンソール１８が併用モードを設定した場合は、ユーザの設定にかかわらず、携帯情報端末装置１６も併用モードを設定することが好ましい。
【０２０５】
次に、本実施形態の携帯情報端末装置１６で実行される、端末装置処理のステップＳ４０２（図２３参照）の端末装置単独モード処理について説明する。図２５Ａ及び図２５Ｂには、本実施形態の携帯情報端末装置１６の端末制御部３０で実行される端末装置単独モード処理の流れの一例を表したフローチャートが示されている。
【０２０６】
なお、携帯情報端末装置１６のディスプレイ３６に表示される各種画面は、コンソール１８のディスプレイ５６に表示される名称が同一の各種画面に対応する。
【０２０７】
図２５ＡのステップＳ５００で端末制御部３０は、撮影初期画面１３４をディスプレイ３６に表示させる。図２６には、携帯情報端末装置１６のディスプレイ３６に撮影初期画面１３４が表示された状態の具体例を表す概略図が示されている。図２６に示した具体例の撮影初期画面１３４には、選択ボタン１３５Ａ〜１３５Ｅ、及び送信ボタン１３６が表示される。選択ボタン１３５Ａ〜１３５Ｅ、及び送信ボタン１３６の各々は、撮影初期画面７４（図６参照）に表示される選択ボタン７５Ａ〜７５Ｅ、及び送信ボタン７６に対応する。
【０２０８】
ユーザは、選択ボタン１３５Ａ〜１３５Ｅのいずれか１つを選択した後、送信ボタン１３６を指定する。端末制御部３０は、送信ボタン１３６が指定されたことを検出すると、ステップＳ５０２へ移行する。
【０２０９】
ステップＳ５０２で端末制御部３０は、撮影初期画面１３４において「撮影装置設定」が選択されたか否かを判断する。肯定判定となった場合は、ステップＳ５０４へ移行する。
【０２１０】
ステップＳ５０４で端末制御部３０が実行する撮影装置設定表示処理は、コンソール１８の制御部５０で実行される撮影装置設定表示処理（図７参照）と同様であるため、図７を参照して説明する。
【０２１１】
図７のステップＳ３００で端末制御部３０は、ディスプレイ３６に撮影装置設定画面を表示させる。図２７には、携帯情報端末装置１６のディスプレイ３６に撮影装置設定画面１３８が表示された状態の具体例を表す概略図が示されている。図２７に示した具体例の撮影装置設定画面１３８には、チェックボックス１３９Ａ〜１３９Ｃ、及び送信ボタン１４０が表示される。チェックボックス１３９Ａ〜１３９Ｃ、及び送信ボタン１４０の各々は、撮影装置設定画面７８（図８参照に表示されたチェックボックス７９Ａ〜７９Ｃ、及び送信ボタン８０の各々に対応する。ユーザは、放射線画像の撮影に用いたい放射線画像撮影装置１４に対応するチェックボックス１３９Ａ〜１３９Ｃのいずれか１つを指定した後、送信ボタン１４０を指定する。
【０２１２】
そのため、次のステップＳ３０２Ａで端末制御部３０は、送信ボタン１４０が指定されたか否かを判断する。否定判定となった場合は、そのまま待機し、肯定判定となった場合は、ステップＳ３０４へ移行する。
【０２１３】
ステップＳ３０４で端末制御部３０は、ユーザにより指定されたチェックボックスを検出し、検出したチェックボックスに対応する放射線画像撮影装置１４に応じた設定を行った後、本撮影装置設定表示処理を終了する。
【０２１４】
このようにして撮影装置設定表示処理が終了すると、端末装置単独モード処理のステップＳ５００に戻る。
【０２１５】
一方、ステップＳ５０２で否定判定となった場合は、ステップＳ５０６へ移行する。
【０２１６】
ステップＳ５０６で端末制御部３０は、撮影初期画面１３４において「撮影オーダ設定」が選択されたか否かを判断する。肯定判定となった場合は、ステップＳ５０８へ移行する。
【０２１７】
ステップＳ５０８で端末制御部３０が実行する撮影オーダ設定表示処理は、コンソール１８の制御部５０で実行される撮影オーダ設定表示処理（図９参照）と同様であるため、図９を参照して説明する。
【０２１８】
図９のステップＳ３１０で端末制御部３０は、ディスプレイ３６に撮影オーダ設定画面を表示させる。図２８には、携帯情報端末装置１６のディスプレイ３６に撮影オーダ設定画面１４２が表示された状態の具体例を表す概略図が示されている。図２８に示した具体例の撮影オーダ設定画面１４２には、選択ボタン１４３Ａ、１４３Ｂ、及び送信ボタン１４４が表示される。選択ボタン１４３Ａ、１４３Ｂ、及び送信ボタン１４４の各々は、撮影オーダ設定画面８２（図１０参照）に表示された選択ボタン８３Ａ、８３Ｂ、及び送信ボタン８４の各々に対応する。
【０２１９】
次のステップＳ３１２Ａで端末制御部３０は、撮影オーダの選択を行うか否かを判断する。肯定判定となった場合は、ステップＳ３１４へ移行する。
【０２２０】
ステップＳ３１４で端末制御部３０は、ディスプレイ３６に撮影オーダ選択画面を表示させる。図２９には、携帯情報端末装置１６のディスプレイ３６に撮影オーダ選択画面１４６が表示された状態の具体例を表す概略図が示されている。図２９に示した具体例の撮影オーダ選択画面１４６には、チェックボックス１４７Ａ〜１４７Ｃ、及び送信ボタン１４８が表示される。図２９に示した具体例のチェックボックス１４７Ａ〜１４７Ｃ、及び送信ボタン１４８の各々は、撮影オーダ選択画面８６（図１１参照）に表示されたチェックボックス８７Ａ〜８７Ｃ、及び送信ボタン８８の各々に対応する。
【０２２１】
また、本実施形態の撮影オーダ選択画面１４６では、撮影オーダの選択を支援するために、各撮影オーダに対応するオーダ情報も表示させる。なお、撮影オーダ選択画面１４６に表示されるオーダ情報は、撮影オーダ選択画面８６（図１１参照）に表示されるオーダ情報よりも少ない。
【０２２２】
次のステップＳ３１６Ａで、肯定判定となった場合は、ステップＳ３１８へ移行する。
【０２２３】
ステップＳ３１８で端末制御部３０は、チェックボックス１４７Ａ〜１４７Ｃのうち、ユーザにより指定されたチェックボックスを検出して、撮影に用いる撮影オーダとして設定した後、本撮影オーダ設定表示処理を終了する。これにより、以降では、設定された撮影オーダに基づいて放射線画像の撮影が行われる。
【０２２４】
一方、ステップＳ３１２Ａで否定判定となった場合は、ステップＳ３２０へ移行する。
【０２２５】
ステップＳ３２０で端末制御部３０は、ディスプレイ３６に撮影オーダ入力画面を表示させる。図３０には、携帯情報端末装置１６のディスプレイ３６に撮影オーダ入力画面１５０が表示された状態の具体例を表す概略図が示されている。図３０に示した具体例の撮影オーダ入力画面１５０には、情報１５１、及び送信ボタン１５２が表示される。情報１５１、及び送信ボタン１５２の各々は、撮影オーダ入力画面９０（図１２参照）に表示された情報９１及び送信ボタン９２の各々に対応する。
【０２２６】
次のステップＳ３２２Ａで肯定判定となった場合は、ステップＳ３２４へ移行する。
【０２２７】
ステップＳ３２４で端末制御部３０は、ユーザにより入力された撮影オーダを検出して撮影に用いる撮影オーダとして設定した後、本撮影オーダ設定表示処理を終了する。これにより、以降では、設定された撮影オーダに基づいて放射線画像の撮影が行われる。
【０２２８】
このようにして撮影オーダ設定表示処理が終了すると、端末装置単独モード処理のステップＳ５００に戻る。
【０２２９】
一方、ステップＳ５０６で否定判定となった場合は、ステップＳ５１０へ移行する。
【０２３０】
Ｓ５１０で端末制御部３０は、撮影初期画面１３４において「被写体認証」が選択されたか否かを判断する。肯定判定となった場合は、ステップＳ５１２へ移行する。
【０２３１】
ステップＳ５１２で端末制御部３０が実行する被写体認証表示処理は、コンソール１８の制御部５０で実行される被写体認証表示処理（図１３参照）と同様であるため、図１３を参照して説明する。
【０２３２】
図１３のステップＳ３３０で端末制御部３０は、ディスプレイ３６に被写体認証画面を表示させる。
【０２３３】
図３１には、携帯情報端末装置１６のディスプレイ３６に被写体認証画面１５４が表示された状態の具体例を表す概略図が示されている。図３１に示した具体例の被写体認証画面１５４には、情報１５５が表示される。情報１５５は、被写体認証画面９４（図１４参照）に表示された情報９５に対応する。
【０２３４】
次のステップＳ３３２Ａで端末制御部３０は、読取部３３で被写体情報を読み取ったか否かを判断する。否定判定となった場合はそのまま待機し、肯定判定となった場合は、ステップＳ３３４へ移行する。
【０２３５】
ステップＳ３３４で端末制御部３０は、読み取った被写体情報に対応する撮影オーダが有るか否かを判断する。否定判定となった場合は、ステップＳ３３６へ移行する。
【０２３６】
ステップＳ３３６で端末制御部３０は、被写体認証画面１５４に、撮影オーダが無いことを表す読取結果を表示させた後、ステップＳ３４０Ａへ移行する。図３２には、被写体認証画面１５４に読取結果が表示された状態の具体例を表す概略図が示されている。図３２に示した具体例の被写体認証画面１５４には、情報１５６、変更ボタン１５８、及び確認ボタン１５９が表示される。情報１５６、変更ボタン１５８、及び確認ボタン１５９の各々は、被写体認証画面９４（図１５参照）に表示された情報９６、変更ボタン９８、及び確認ボタン９９の各々に対応する。
【０２３７】
一方、ステップＳ３３４において、読み取った被写体情報に対応する撮影オーダが有る場合は、肯定判定となり、ステップＳ３３８へ移行する。
【０２３８】
ステップＳ３３８で端末制御部３０は、被写体認証画面１５４に、撮影オーダのオーダ情報を読取結果として表示させた後、ステップＳ３４０Ａへ移行する。図３３には、被写体認証画面１５４に読取結果が表示された状態の具体例を表す概略図が示されている。図３３に示した具体例の被写体認証画面１５４には、撮影オーダのオーダ情報１５７、変更ボタン１５８、及び確認ボタン１５９が表示される。オーダ情報１５７、変更ボタン１５８、及び確認ボタン１５９の各々は、被写体認証画面１５４（図１６参照）に表示されたオーダ情報９７、変更ボタン９８、及び確認ボタン９９の各々に対応する。
【０２３９】
次のステップＳ３４０Ａで肯定判定となった場合は、ステップＳ３３０に戻り、本被写体認証表示処理を繰り返す。一方、否定判定となった場合は、本被写体認証表示処理を終了する。
【０２４０】
このようにして被写体認証表示処理が終了すると、端末装置単独モード処理のステップＳ５００に戻る。
【０２４１】
一方、ステップＳ５１０で否定判定となった場合は、ステップＳ５１４へ移行する。
【０２４２】
Ｓ５１４で端末制御部３０は、撮影初期画面１３４において「ポジショニング関連」が選択されたか否かを判断する。肯定判定となった場合は、ステップＳ５１６へ移行する。
【０２４３】
ステップＳ５１６で端末制御部３０が実行するポジショニング関連表示処理は、コンソール１８の制御部５０で実行されるポジショニング関連表示処理（図１７参照）と同様であるため、図１７を参照して説明する。
【０２４４】
図１７のステップＳ３５０で端末制御部３０は、撮影に用いる撮影オーダとして設定されている撮影オーダのオーダ情報を取得する。
【０２４５】
次のステップＳ３５２で端末制御部３０は、ポジショニングの参考図の画像データを記憶部３２から取得する。
【０２４６】
次のステップＳ３５４で端末制御部３０は、ディスプレイ３６にポジショニング関連画面を表示させる。図３４には、携帯情報端末装置１６のディスプレイ３６にポジショニング関連画面１６０が表示された状態の具体例を表す概略図が示されている。図３４に示した具体例のポジショニング関連画面１６０には、参考図１６２及び完了ボタン１６４が表示される。参考図１６２及び完了ボタン１６４の各々は、ポジショニング関連画面１００（図１８参照）に表示された参考図１０２及び完了ボタン１０４の各々に対応する。
【０２４７】
次のステップＳ３５６Ａで否定判定となった場合はそのまま待機し、肯定判定となった場合は、本ポジショニング関連表示処理を終了する。
【０２４８】
このようにしてポジショニング関連表示処理が終了すると、端末装置単独モード処理のステップＳ５００に戻る。
【０２４９】
一方、ステップＳ５１４で否定判定となった場合は、ステップＳ５１８へ移行する。
【０２５０】
ステップＳ５１８で端末制御部３０は、設定された撮影オーダのオーダ情報に基づいて、放射線画像撮影装置１４に撮影開始指示信号を送信する。撮影開始信号を受信すると放射線画像撮影装置１４の撮影制御部２２は、放射線検出器２０を、待機状態から放射線Ｒの検出が即座に行える状態であるレディ状態に移行させる制御を行う。
【０２５１】
なお、本実施形態では、携帯情報端末装置１６から放射線画像撮影装置１４に送信される撮影開始指示信号は、放射線画像撮影装置１４の撮影モードをメモリモードに設定させるための情報を含んでいる。本実施形態の放射線画像撮影装置１４は、メモリモードを含む複数の撮影モードを有している。メモリモードとは、少なくとも複数の撮影オーダに対応した数の放射線画像の画像データを放射線画像撮影装置１４内のメモリ２４に記憶し、放射線画像の画像データ（生データ）からプレビュー画像を生成して、制御装置に送信する撮影モードである。そのため、撮影開始指示信号を受信した放射線画像撮影装置１４は、撮影モードをメモリモードとして動作する。
【０２５２】
次のステップＳ５２０で端末制御部３０は、ディスプレイ３６に撮影開始画面を表示させる。図３５には、携帯情報端末装置１６のディスプレイ３６に撮影開始画面１６６が表示された状態の具体例を表す概略図が示されている。図３５に示した具体例の撮影開始画面１６６には、情報１６７及び照射開始ボタン１６８が表示される。情報１６７及び照射開始ボタン１６８の各々は、撮影開始画面１０６（図１９参照）に表示された情報１０７及び照射開始ボタン１０８の各々に対応する。
【０２５３】
ステップＳ５２２で端末制御部３０が、放射線Ｒの照射開始を指示されたか否かを判断する。本実施形態では、制御装置として携帯情報端末装置１６が放射線画像撮影装置１４に接続されている場合、携帯情報端末装置１６から放射線照射装置１２に放射線画像の撮影を指示することができる。そのため、ステップＳ５２２で肯定判定となった場合は、ステップＳ５２４へ移行する。
【０２５４】
ステップＳ５２４で端末制御部３０は、放射線照射装置１２に放射線Ｒの照射開始を指示する照射開始信号を送信する。
【０２５５】
以上の携帯情報端末装置１６による制御により、放射線検出器２０は、放射線照射装置１２から照射され、被写体Ｗを透過した放射線Ｒを検出することにより、被写体Ｗに応じた放射線画像を生成する。
【０２５６】
放射線画像撮影装置１４は放射線画像の撮影を行い、撮影によって得られた放射線画像の画像データをメモリ２４に記憶し、また、放射線画像の画像データからプレビュー画像を生成して、プレビュー画像の画像データを携帯情報端末装置１６に送信する。プレビュー画像の生成は、上述したコンソール１８におけるプレビュー画像の生成と同様にすればよい。
【０２５７】
ステップＳ５２６では、否定判定となった場合は待機し、肯定判定となった場合は、ステップＳ５３０へ移行する。
【０２５８】
次のステップＳ５３０で端末制御部３０は、ディスプレイ３６に画像確認画面１７０を表示させる。
【０２５９】
図３６には、携帯情報端末装置１６のディスプレイ３６に画像確認画面１７０が表示された状態の具体例を表す概略図が示されている。本実施形態の画像確認画面１７０には、ユーザが撮影された放射線画像を確認するための表示が行われる。そのため、図３６に示した具体例の画像確認画面１７０には、読影用の放射線画像よりも小さいプレビュー画像１７２、オーダ情報１７１、チェックボックス１７３、１７４、及び終了ボタン１７５が表示される。オーダ情報１７１、チェックボックス１７３、１７４、及び終了ボタン１７５の各々は、画像確認画面１１２（図２０参照）に表示されたオーダ情報１１０、チェックボックス１１５、１１６、及び終了ボタン１１７の各々に対応する。
【０２６０】
ユーザは、プレビュー画像１７２を確認し、再撮影を行うか否かを判断する。
【０２６１】
次のステップＳ５３６で肯定判定となった場合は、ステップＳ５３８に移行する。ステップＳ５３８で端末制御部３０は、再撮影指示情報を放射線画像撮影装置１４に送信した後、ステップＳ５２０に戻る。
【０２６２】
なお、同一の被写体Ｗについて複数枚の放射線画像を撮影する等、１つの撮影オーダに複数枚の放射線画像の撮影が指示されている場合、端末制御部３０は、ステップＳ５２０〜Ｓ５３８の処理を繰り返して行う。また、動画撮影等、１回の放射線Ｒの照射期間中に複数枚の放射線画像の撮影を行う場合、端末制御部３０は、ステップＳ５２０〜Ｓ５３０の処理を繰り返して行う。
【０２６３】
一方、ステップＳ５３６で否定判定となった場合は、ステップＳ５４０へ移行する。ステップＳ５４０で端末制御部３０は、撮影完了指示情報を放射線画像撮影装置１４に送信した後、ステップＳ５４２へ移行する。
【０２６４】
ステップＳ５４２で端末制御部３０は、撮影に用いた撮影オーダのオーダ情報を放射線画像撮影装置１４に送信する。オーダ情報を受信した放射線画像撮影装置１４は、撮影により得られた放射線画像の画像データに対応付けて、メモリ２４に記憶させる。
【０２６５】
ステップＳ５４４で端末制御部３０は、撮影継続確認画面をディスプレイ３６に表示させる。図３７には、携帯情報端末装置１６のディスプレイ３６に撮影継続確認画面１７６が表示された状態の具体例を表す概略図が示されている。図３７に示した具体例の撮影継続確認画面１７６には、情報１７７、継続ボタン１７８Ａ、終了ボタン１７８Ｂ、及び送信ボタン１８０が表示される。情報１７７、継続ボタン１７８Ａ、終了ボタン１７８Ｂ、及び送信ボタン１８０の各々は、撮影継続確認画面１１８（図２１参照）の情報１１９、継続ボタン１２０Ａ、終了ボタン１２０Ｂ、及び送信ボタン１２１の各々に対応している。
【０２６６】
次のステップＳ５４６で肯定判定となった場合は、ステップＳ５００に移行する。一方、否定判定となった場合は、本端末装置単独モード処理を終了して、上述したように、端末装置処理のステップＳ５００に戻る。
【０２６７】
なお、携帯情報端末装置１６の端末制御部３０が、放射線画像の撮影に関してディスプレイ３６に表示させる表示内容は、上述したものに限らない。図３８には、携帯情報端末装置１６のディスプレイ３６に、現在進行中の撮影状況に関する情報を表す撮影状況画面１８２が表示された状態の具体例を表す概略図が示されている。図３８に示した具体例の撮影状況画面１８２には、プレビュー画像１７２、インジケータ１８４、及び撮影に用いた撮影オーダのオーダ情報１８３が表示される。
【０２６８】
次に、本実施形態の携帯情報端末装置１６で実行される、端末装置処理のステップＳ４０８（図２３参照）の端末装置併用モード処理について説明する。制御モードが併用モードの場合、携帯情報端末装置１６では、端末装置併用モード処理が実行される。図３９には、本実施形態の携帯情報端末装置１６の端末制御部３０で実行される端末装置併用モード処理の流れの一例を表したフローチャートが示されている。
【０２６９】
本実施形態の携帯情報端末装置１６の端末制御部３０で実行される端末装置併用モード処理全体では、上述の端末装置単独モード処理（図２５Ａ、２５Ｂ参照）のステップＳ５１８〜Ｓ５４４の処理が実行されない他は同様の処理を行う。
【０２７０】
併用モードの場合、放射線Ｒを照射する場合にユーザは、放射線照射装置１２から離れたコンソール１８の近くにおり、放射線Ｒの照射に関する指示や、放射線画像の確認は、コンソール１８で行うことが多い。そのため、端末装置単独モード処理では、携帯情報端末装置１６は、これらの指示を行わない。そのため、ステップＳ５１４で否定判定となった場合は、ステップＳ５４６に移行する。
【０２７１】
なお、ステップＳ５１４で否定判定となった場合は、その後の操作は、コンソール１８で行われるため、携帯情報端末装置１６では、ユーザからの指示を受け付けない状態に移行してもよい。
【０２７２】
以上の処理により、本実施形態の携帯情報端末装置１６では、併用モードの場合においても、放射線画像の撮影に関する制御を行うことができる。また、単独モード処理においてディスプレイ３６に表示される表示内容よりも少なくすることができるため、各表示内容を大きくすることができる。従って、ユーザは、表示内容が見やすくなる。
【０２７３】
［第２実施形態］
次に、第２実施形態について説明する。なお、第１実施形態に係る放射線画像撮影システム１０と同様の部分については、詳細な説明を省略する。
【０２７４】
図４０に示すように本実施形態の放射線画像撮影システム１０の全体の構成は、照射スイッチ１９を備える点で第１実施形態の放射線画像撮影システム１０（図１参照）と異なっている。
【０２７５】
照射スイッチ１９は、携帯情報端末装置１６及びコンソール１８とは別に設けられた、放射線Ｒの照射の実行指示専用のスイッチである。本実施形態の放射線画像撮影システム１０では、放射線Ｒを照射する場合、ユーザは照射スイッチ１９により放射線照射装置１２に対して放射線Ｒの照射の実行を指示する。
【０２７６】
また、本実施形態の放射線画像撮影システム１０は、コンソール１８の構成が第１実施形態と異なっている。図４１に示すように本実施形態のコンソール１８は、読取部６１を備えていない点で第１実施形態のコンソール１８（図２参照）と異なっている。また、本実施形態のコンソール１８は、ディスプレイ５６と操作部６０とを一体化して、タッチパネルディスプレイとして構成している。
【０２７７】
また、本実施形態の放射線画像撮影システム１０では、放射線画像を撮影する動作の一部が第１実施形態と異なっているため、異なる動作について説明する。
【０２７８】
まず、本実施形態のコンソール１８の動作について説明する。なお、コンソール１８の制御部５０で実行されるコンソール処理全体の流れは第１実施形態と同様（図３参照）である。本実施形態では、コンソール処理のステップＳ１０２のコンソール単独モード処理及びステップＳ１０８のコンソール併用モード処理の各々の処理内容が異なっているため、各処理について説明する。
【０２７９】
本実施形態のコンソール単独モード処理について説明する。図４２には、本実施形態のコンソール１８の制御部５０で実行されるコンソール単独モード処理の流れの一例を表したフローチャートが示されている。
【０２８０】
図４２に示すように、本実施形態のコンソール単独モード処理は、ステップＳ２０６Ａ〜Ｓ２２４の処理に代わり、ステップＳ２０５Ａ、Ｓ２２１Ａ、及びＳ２２５を実行する点で、第１実施形態のコンソール単独モード処理（図５Ａ、５Ｂ参照）と異なっている。
【０２８１】
本実施形態のコンソール単独モード処理のステップＳ２００で制御部５０は、ディスプレイ５６に撮影初期画面を表示させる。
【０２８２】
図４３には、本実施形態においてコンソール１８のディスプレイ５６に撮影初期画面７４Ａが表示された状態の具体例を表す概略図が示されている。図４３に示すように本実施形態の撮影初期画面７４Ａは、選択ボタン７５Ｂ〜７５Ｅに代わり選択ボタン７５Ｆが表示される点で第１実施形態の撮影初期画面７４（図６参照）と異なっている。
【０２８３】
選択ボタン７５Ｆは、撮影準備を行う場合にユーザが選択するボタンである。ユーザが選択ボタン７５Ｆを選択することにより「撮影準備」を選択したことを制御部５０が検出した場合は、ステップＳ２０２Ａで否定判定となり、ステップＳ２０５Ａへ移行する。
【０２８４】
本実施形態の放射線画像撮影システム１０では、ユーザが選択ボタン７５Ｆを選択した場合、図４４に示した撮影準備表示処理が行われ、撮影準備表示処理が完了すると、引き続き放射線画像の撮影が行われる。そのため、ステップＳ２０５Ａで制御部５０は、図４４に示した撮影準備表示処理を実行する。
【０２８５】
図４４のステップＳ６００で制御部５０は、ディスプレイ５６に被写体情報登録画面を表示させる。具体的には、制御部５０は、記憶部５２に記憶されている被写体情報登録画面に関する情報を用いて、被写体情報登録画面を生成して、ディスプレイ５６に表示させる。
【０２８６】
図４５には、コンソール１８のディスプレイ５６に被写体情報登録画面２００が表示された状態の具体例を表す概略図が示されている。本実施形態の被写体情報登録画面２００には、ユーザが被写体Ｗの情報の登録を行うための表示が行われる。
【０２８７】
図４５に示した被写体情報登録画面２００には、被写体Ｗを識別するための情報として被写体氏名を表示する表示領域２０２Ａ、被写体ＩＤ（Identification）を表示する表示領域２０２Ｂ、性別を表示する表示領域２０２Ｃ、及び生年月日を表示する表示領域２０２Ｄが設けられている。
【０２８８】
また、被写体情報登録画面２００には、詳細な被写体Ｗに関する情報（被写体情報）を表示する表示領域２０４が設けられている。表示領域２０４に表示される被写体情報は特に限定されないが、例えば、被写体Ｗの性別、体重、及び身長等のいわゆる患者情報や、被写体のアレルギーの有無、造影剤による副作用等が挙げられる。
【０２８９】
また、被写体情報登録画面２００には、入力部２０６が表示される。本実施形態のコンソール１８では、ユーザがディスプレイ５６に表示された入力部２０６を操作することにより、被写体Ｗの情報を登録することができる。なお、被写体氏名、被写体ＩＤ、性別、及び生年月日の全てについて登録しなくてもよいが、少なくとも、被写体氏名及び被写体ＩＤのいずれか一方は登録する。
【０２９０】
そこで、次のステップＳ６０２Ａで制御部５０は、被写体Ｗの情報が入力されたか否かを判断する。具体的には、入力部２０６が操作されたことを検出したか否かを判断する。制御部５０は、被写体Ｗの情報が入力されるまで待機し、被写体Ｗの情報が入力された場合は、肯定判定となり、ステップＳ６０４Ａへ移行する。
【０２９１】
ステップＳ６０４Ａで制御部５０は、入力された被写体氏名または被写体ＩＤに対応する撮影オーダが有るか否かを判断する。具体的には、制御部５０は、記憶部５２に記憶されている既存の撮影オーダの中に、入力された被写体氏名または被写体ＩＤに対応する撮影オーダが有るか否かを判断する。撮影オーダが無い場合は、否定判定となりステップＳ６０６へ移行する。
【０２９２】
ステップＳ６０６で制御部５０は、被写体情報登録画面２００の表示を更新し、ユーザが入力部２０６により入力した被写体Ｗの情報と、撮影オーダが無い旨の情報とを被写体情報登録画面２００に表示させた後、ステップＳ６１０Ａへ移行する。例えば、ユーザが入力部２０６により被写体ＩＤを入力した場合、制御部５０は、具体的には図４６に示すように被写体情報登録画面２００の表示領域２０２Ｂにユーザが入力した被写体ＩＤを表示させ、また、被写体情報登録画面２００に撮影オーダが無いことを表す情報２１３を表示させる。
【０２９３】
一方、撮影オーダが有った場合、ステップＳ６０４Ａで肯定判定となり、ステップＳ６０８へ移行する。なおこの場合、制御部５０は、入力された被写体氏名または被写体ＩＤに対応する撮影オーダのオーダ情報を取得する。
【０２９４】
ステップＳ６０８で制御部５０は、被写体情報登録画面２００の表示を更新し、取得したオーダ情報を被写体情報登録画面２００に表示させた後、ステップＳ６１０Ａへ移行する。制御部５０は、具体的には図４７に示すように表示領域２０２Ａに被写体氏名を表示させ、表示領域２０２Ｂに被写体ＩＤを表示させ、表示領域２０２Ｃに性別を表示させ、また、表示領域２０２Ｄに生年月日を表示させ、さらに表示領域２０４に詳細な被写体に関する情報を表示させる。
【０２９５】
このように被写体情報登録画面２００の表示の更新がなされると、ステップＳ６１０Ａで制御部５０は、次画面（メニュー選択画面２２０Ａ、図４８参照、詳細後述）を表示させるか否かを判断する。本実施形態のコンソール１８では、被写体Ｗの情報の登録が完了した場合、ユーザは、被写体情報登録画面２００に表示された指示ボタン２１０を操作する。指示ボタン２１０が操作されていない場合、否定判定となりステップＳ６１２へ移行する。
【０２９６】
ステップＳ６１２で制御部５０は、上記ステップＳ６０２Ａと同様に、被写体Ｗの情報が入力されたか否かを判断する。例えば、撮影オーダが無い場合、現在、被写体情報登録画面２００に表示されている被写体Ｗの情報（図４７では、被写体ＩＤ）以外の被写体Ｗの情報をユーザが入力部２０６により入力する場合がある。また、例えば、撮影オーダが有る場合でも、現在、被写体情報登録画面２００に表示されている被写体Ｗの情報を修正等する場合がある。
【０２９７】
被写体Ｗの情報が入力された場合、肯定判定となりステップＳ６１４へ移行する。ステップＳ６１４で制御部５０は、被写体情報登録画面２００の表示を更新して入力された被写体Ｗの情報（入力情報）を表示させた後、ステップＳ６１０Ａに戻る。なお、上記ステップＳ６０４Ａと同様に、撮影オーダの有無を判断し、判断結果に応じて被写体情報登録画面２００の表示を更新することが好ましい。
【０２９８】
被写体Ｗの情報が入力されない場合、否定判定となりステップＳ６１６Ａへ移行する。ステップＳ６１６Ａで制御部５０は、ステータス移行を指示されたか否かを判断する。本実施形態では、図４５等に示すように被写体情報登録画面２００には、放射線画像撮影装置１４にステータスの移行を指示するための指示ボタン２０８Ａ及び２０８Ｂが表示されている。
【０２９９】
指示ボタン２０８Ａは、放射線画像撮影装置１４を待機状態にさせる場合に、ユーザが指示するボタンである。指示ボタン２０８Ｂは、放射線画像撮影装置１４をレディ状態にさせる場合に、ユーザが指示するボタンである。指示ボタン２０８Ａ及び２０８Ｂのいずれかがユーザにより指示されたことを、制御部５０が検出した場合は、肯定判定となり、ステップＳ６１８へ移行する。
【０３００】
ステップＳ６１８で制御部５０は、検出した指示ボタン２０８Ａまたは２０８Ｂに応じて、ステータス移行指示を放射線画像撮影装置１４に送信した後、ステップＳ６１０Ａに戻る。放射線画像撮影装置１４の端末制御部３０は、受信したステータス移行指示に応じて待機状態及びレディ状態のいずれかに放射線画像撮影装置１４の状態を移行させる。なお、本実施形態のコンソール１８は、携帯情報端末装置１６で放射線画像撮影装置１４のステータスを認識可能とするため、ステータス移行指示を携帯情報端末装置１６にも送信する。
【０３０１】
一方、指示ボタン２０８Ａ及び２０８Ｂのいずれもユーザにより指示されなかった場合、ステップＳ６１６Ａで否定判定となりステップＳ６１０Ａに戻る。
【０３０２】
ステップＳ６１０Ａで肯定判定となった場合、ステップＳ６２０Ａへ移行する。
【０３０３】
ステップＳ６２０Ａで制御部５０は、ディスプレイ５６に被写体情報登録画面２００に替わりメニュー選択画面を表示させる。具体的には、制御部５０は、記憶部５２に記憶されているメニュー選択画面に関する情報を用いて、メニュー選択画面を生成して、ディスプレイ５６に表示させる。
【０３０４】
図４８には、コンソール１８のディスプレイ５６にメニュー選択画面２２０Ａが表示された状態の具体例を表す概略図が示されている。本実施形態のメニュー選択画面２２０Ａには、放射線画像の撮影メニューの選択をユーザが行うための表示が行われる。なお、本実施形態において撮影メニューとは、撮影の種類や撮影方法等のことをいう。
【０３０５】
図４８に示したメニュー選択画面２２０Ａには、被写体Ｗの撮影部位を選択するための複数の選択ボタン２２２、選択ボタン２２２により選択された撮影部位に応じた撮影メニューを選択する複数の選択ボタン２２４が表示されている。本実施形態のメニュー選択画面２２０Ａでは、撮影部位が選択されていない場合、選択ボタン２２４は表示されない。
【０３０６】
なお、ステップＳ６２０Ａでメニュー選択画面２２０Ａを表示するにあたりオーダ情報を取得済みの場合、具体的にはステップＳ６０８の処理を行っていた場合、取得しているオーダ情報をメニュー選択画面２２０Ａに表示させる。図４８の選択ボタン２２４は、具体例として、取得したオーダ情報に含まれる撮影部位が「頭部」であり、撮影メニューが「頭蓋骨正面」である場合の表示例を示している。図４８に示した具体例では、選択ボタン２２２のうち「頭部」に対応する選択ボタン及び選択ボタン２２４のうち「頭蓋骨正面」に対応する選択ボタンの色を他と異ならせている。
【０３０７】
また、メニュー選択画面２２０Ａの表示領域２２６には、撮影オーダが表示される。図４８には、上述したように取得済みの撮影オーダが表示されている。
【０３０８】
なお、ステップＳ６２０Ａでメニュー選択画面２２０Ａを表示するにあたりオーダ情報を取得していない場合、撮影部位が選択されていないため、上述したようにメニュー選択画面２２０Ａは図４８の具体例と異なり、選択ボタン２２４が表示されない。また、表示領域２２６には、現在決定済みの撮影オーダ、具体的には、被写体情報登録画面２００において登録した被写体Ｗの情報が表示される。
【０３０９】
次のステップＳ６２２で制御部５０は、撮影メニューが選択済みであるか否かを判断する。
【０３１０】
上述したように、取得したオーダ情報に撮影部位及び撮影メニューが含まれている場合、制御部５０は撮影メニューが選択済みであると判断する。また、制御部５０は、ユーザが選択ボタン２２２及び選択ボタン２２４により撮影メニューを選択したことを検出した場合も撮影メニューが選択済みであると判断する。制御部５０は、これらの場合以外は、撮影メニューが選択済みではないと判断する。撮影メニューが選択済みではない場合、否定判定となりステップＳ６２４へ移行する。
【０３１１】
ステップＳ６２４で制御部５０は、撮影メニューが選択されたか否かを判断する。具体的には、制御部５０は、選択ボタン２２２及び選択ボタン２２４が操作されたことを検出した場合は、撮影メニューが選択されたと判断する。撮影メニューが選択された場合、肯定判定となりステップＳ６２６へ移行する。ステップＳ６２６で制御部５０は、メニュー選択画面２２０Ａの表示を更新して入力された撮影メニュー（入力情報）を識別可能に表示させた後、ステップＳ６３８Ａへ移行する。また、ステップＳ６２４で否定判定となった場合もステップＳ６３８Ａへ移行する。
【０３１２】
ステップＳ６３８Ａで制御部５０は、上記ステップＳ６１６Ａと同様に、ステータス移行を指示されたか否かを判断する。本実施形態では、図４８等に示すようにメニュー選択画面２２０Ａには、被写体情報登録画面２００と同様に放射線画像撮影装置１４にステータスの移行を指示するための指示ボタン２０８Ａ及び２０８Ｂが表示されている。
【０３１３】
指示ボタン２０８Ａ及び２０８Ｂのいずれかがユーザにより指示されたことを、制御部５０が検出した場合は、肯定判定となり、ステップＳ６４０へ移行する。
【０３１４】
ステップＳ６４０で制御部５０は、上記ステップＳ６１８と同様に、検出した指示ボタン２０８Ａまたは２０８Ｂに応じて、ステータス移行指示を放射線画像撮影装置１４に送信した後、ステップＳ６２２に戻る。一方、指示ボタン２０８Ａ及び２０８Ｂのいずれもユーザにより指示されなかった場合、ステップＳ６３８Ａで否定判定となりステップＳ６２２に戻る。
【０３１５】
撮影メニューが選択済みの場合、ステップＳ６２２で肯定判定となりステップＳ６２８へ移行する。
【０３１６】
ステップＳ６２８で制御部５０は、メニュー選択画面２２０Ａに表示されたポジショニング支援ボタン２２８が指定されたか否かを判定する。制御部５０が、ポジショニン支援ボタン２２８が指定されたことを検出していない場合、否定判定となりステップＳ６３６Ａへ移行する。
【０３１７】
一方、制御部５０が、ポジショニング支援ボタン２２８が指定されたことを検出した場合は、ステップＳ６２８で肯定判定となり、ステップＳ６３０へ移行する。ポジショニング支援ボタン２２８が指定された場合、本実施形態では第１実施形態のコンソール単独モード処理のステップＳ２１６のポジショニング関連表示処理（図５Ａ及び図１７参照）と同様に、ステップＳ６３０で制御部５０が、取得したオーダ情報に基づいて、ユーザが被写体Ｗをポジショニングするための参考図の画像データを記憶部５２から取得する。
【０３１８】
次のステップＳ６３２で制御部５０は、ディスプレイ５６にポジショニング関連画面を表示させる。具体的には制御部５０は、図１８に示したポジショニング関連画面１００をディスプレイ５６に表示させる。
【０３１９】
次のステップＳ６３４で制御部５０は、完了ボタン１０４が指定されたか否かを判断し、完了ボタン１０４が指定されたことを検出するまでそのまま待機し、完了ボタン１０４が指定されたことを検出すると肯定判定となり、ステップＳ６３６Ａへ移行する。
【０３２０】
ステップＳ６３６Ａで制御部５０は、次画面（撮影確認画面２４０Ａ、図４９参照、詳細後述）を表示させるか否かを判断する。本実施形態のコンソール１８では、撮影メニューの選択が完了した場合、ユーザは、メニュー選択画面２２０Ａに表示された指示ボタン２３０を操作する。指示ボタン２３０が操作されていない場合、否定判定となりステップＳ６３８Ａへ移行する。一方、指示ボタン２３０が操作された場合、肯定判定となりステップＳ６４２へ移行する。
【０３２１】
ステップＳ６４２で制御部５０は、上記処理に応じた撮影オーダを撮影に用いる撮影オーダとして設定した後、本撮影準備表示処理を終了してコンソール単独モード処理のステップＳ２２１Ａへ移行する。撮影準備表示処理により、以降では、設定された撮影オーダに基づいて放射線画像の撮影が行われる。
【０３２２】
ステップＳ２２１Ａで制御部５０は、ディスプレイ５６にメニュー選択画面２２０Ａに替わり撮影確認画面を表示させる。具体的には、制御部５０は、記憶部５２に記憶されている撮影確認画面に関する情報を用いて、撮影確認画面を生成して、ディスプレイ５６に表示させる。
【０３２３】
図４９には、コンソール１８のディスプレイ５６に撮影確認画面２４０Ａが表示された状態の具体例を表す概略図が示されている。図４９に示すように、本実施形態の撮影確認画面２４０Ａには、撮影された放射線画像を表示する表示領域２４２が設けられている。なお、撮影確認画面２４０Ａをディスプレイ５６に表示した当初は、未だ放射線画像が撮影されていないため、表示領域２４２には未だ放射線画像が表示されていない。
【０３２４】
また、撮影確認画面２４０Ａには、現在の携帯情報端末装置１０の状態（ステータス）を表す情報２４４、画像加工処理選択ボタン２４６、指示ボタン２４８、完了ボタン２４９、再撮影ボタン２５０、及びデータ送信ボタン２５１が表示されている。
【０３２５】
画像加工処理選択ボタン２４６は、放射線画像に対して行う画像処理を選択するためのボタンである。放射線画像に対して行う画像処理は特に限定されず、例えば、放射線画像にマーカを書き込む処理（図４９「マーカ」参照）や、トリミング処理（図４９「トリミング」参照）等が挙げられる。本実施形態では、複数の画像加工処理からユーザが所望の加工処理に対応する画像加工処理選択ボタン２４６を選択すると、制御部５０が選択に応じた画像加工処理を放射線画像に対して行い、画像加工処理後の放射線画像を表示領域２４２に表示させる。
【０３２６】
指示ボタン２４８は、表示させる画像を画像加工処理選択ボタン２４６の前に表示させていた画像に戻す場合にユーザが指示するボタンである。完了ボタン２４９は、放射線画像の撮影が完了したことをユーザが指示するボタンである。また、再撮影ボタン２５０は、再撮影の実行をユーザが指示するボタンである。また、データ送信ボタン２５１は、放射線画像の画像データをコンソール１８から所定の装置（例えば、外部のサーバ等）へ送信する指示をユーザが行うボタンである。なお、本実施形態では、撮影確認画面２４０Ａをディスプレイ５６に表示した当初は、未だ放射線画像の撮影が行われていないため、完了ボタン２４９、再撮影ボタン２５０、及びデータ送信ボタン２５１は、撮影確認画面２４０Ａに表示されているものの、ユーザによる指示が不可能になっている。
【０３２７】
次のステップＳ２２５で制御部５０は、ディスプレイ５６に表示させる画面を前の画面、すなわちメニュー選択画面２２０Ａの表示に戻すか否かを判断する。制御部５０が、指示ボタン２４８が指示されたことを検出した場合、肯定判定となり上述した撮影準備表示処理のステップＳ６２０Ａ（図４４参照）に戻る。一方、制御部５０が、指示ボタン２４８が指示されたことを検出しない場合、否定判定となり、ステップＳ２２６へ進む。
【０３２８】
ステップＳ２２６で制御部５０は、放射線画像の画像データを受信したか否かを判断する。受信していない場合、否定判定となりステップＳ２２５へ戻り、受信した場合、ステップＳ２２８へ移行する。
【０３２９】
また、図４２に示すように、本実施形態のコンソール単独モード処理は、ステップＳ２３０の代わりにステップＳ２３１の処理を実行する点で、第１実施形態のコンソール単独モード処理（図５Ｂ参照）と異なっている。
【０３３０】
ステップＳ２３１で制御部５０は、ディスプレイ５６に表示されている撮影確認画面２４０Ａを更新する。本実施形態では、具体例として図５０に示すように、上記ステップＳ２２８で生成した読影用の放射線画像１１４を表示領域２４２に表示させる。また、読影用の放射線画像１１４の四隅等、読影の邪魔にならない場所に、オーダ情報から取得した被写体の情報２５２や撮影メニューの情報２５３等を表示させる。また、指示ボタン２４８の指示を不可能にさせ、完了ボタン２４９、再撮影ボタン２５０、及びデータ送信ボタン２５１の指示を可能にさせる。
【０３３１】
なお、読影用の放射線画像１１４が表示された状態で画像加工処理選択ボタン２４６がユーザにより選択された場合は、制御部５０は、選択されたボタンに応じた画像加工処理を放射線画像に対して行う。そして、表示領域２４２に表示されている読影用の放射線画像１１４を更新する。
【０３３２】
さらに、図４２に示すように、本実施形態のコンソール単独モード処理は、ステップＳ２３４とステップＳ２３６Ａとの間に、ステップＳ２３５＿１及びＳ２３５＿２の処理を実行する点で、第１実施形態のコンソール単独モード処理（図５Ｂ参照）と異なっている。
【０３３３】
本実施形態のコンソール単独モード処理のステップＳ２３５＿１で制御部５０は、放射線画像の画像データを送信するか否かを判断する。制御部５０がデータ送信ボタン２５１が指示されたことを検出した場合、肯定判定になりステップＳ２３５＿２へ移行する。ステップＳ２３５＿２で制御部５０は、放射線画像の画像データを所定の装置に送信した後、ステップＳ２３６Ａへ移行する。また、制御部５０が、データ送信ボタン２５１が指示されたことを検出しない場合、否定判定となりステップＳ２３６Ａへ移行する。
【０３３４】
ステップＳ２３６Ａで制御部５０は再撮影を行うか否かを判断する。制御部５０が、再撮影ボタン２５０が指示されたことを検出した場合、肯定判定となりステップＳ２３８へ移行する。一方、制御部５０が、完了ボタン２４９が指示されたことを検出した場合、否定判定となりステップＳ２４０へ移行する。
【０３３５】
次に、本実施形態のコンソール１８で実行される、コンソール処理のステップＳ１０８（図３参照）のコンソール併用モード処理について説明する。
【０３３６】
本実施形態のコンソール１８のコンソール併用モード処理では、第１実施形態のコンソール１８のコンソール併用モード処理と同様に、制御部５０は、ユーザが携帯情報端末装置１６のディスプレイ３６に表示された画面に対して指定した内容を表す指定内容信号を受信した場合、自装置の操作部６０を介してユーザが指定を行う場合と同様の処理を行う。
【０３３７】
図４２に示すように、本実施形態のコンソール併用モード処理は、コンソール単独モード処理のステップＳ２０５Ａに代わりステップＳ２０５Ｂを実行する。図５１に示すようにコンソール併用モード処理の撮影準備表示処理は、コンソール単独モード処理（図４４参照）と一部が異なっている。
【０３３８】
図５１に示すように本実施形態の撮影準備処理では、ステップＳ６０２Ｂで制御部５０が、携帯情報端末装置１６から被写体Ｗの情報を受信した、または被写体Ｗの情報が入力された、のいずれかであるか否かを判断する。
【０３３９】
Ｓ６０４Ｂで制御部５０は、受信した被写体Ｗの情報または入力された被写体氏名または被写体ＩＤに対応する撮影オーダが有るか否かを判断する。撮影オーダが無い場合は、否定判定となりステップＳ６０６へ移行する。また、撮影オーダが無い旨を携帯情報端末装置１６へ送信する。一方、撮影オーダが有った場合、ステップＳ６０４Ｂで肯定判定となり、ステップＳ６０８へ移行する。また、撮影オーダを携帯情報端末装置１６へ送信する。
【０３４０】
さらに、ステップＳ６１０Ｂで制御部５０が、携帯情報端末装置１６から受信する指定内容信号または、被写体情報登録画面２００に表示された指示ボタン２１０の操作の検出結果に基づいて、次画面を表示させるか否かを判断する。なお、制御部５０は、指示ボタン２１０の操作を検出した場合、次画面を表示させることを表す指定内容信号を携帯情報端末装置１６へ送信する。
【０３４１】
また、ステップＳ６１６Ｂで制御部５０は、携帯情報端末装置１６から受信する指定内容信号または、被写体情報登録画面２００に表示された指示ボタン２０８Ａ及び２０８Ｂの操作の検出結果に基づいて、ステータス移行を指示されたか否かを判断する。なお、制御部５０は、指示ボタン２０８Ａまたは２０８Ｂの操作を検出した場合、操作に応じたステータスを表す指定内容信号を携帯情報端末装置１６へ送信する。
【０３４２】
また、Ｓ６２０Ｂで制御部５０は、ディスプレイ５６に被写体情報登録画面２００に替わり図５２に示すメニュー選択画面２２０Ｂを表示させる。本実施形態では、コンソール併用モードの場合、コンソール１８ではポジショニングの支援に関する表示を行わない。そのため、図５２に示すように、メニュー選択画面２２０Ｂは、ポジショニング支援ボタン２２８が表示されない点でメニュー選択画面２２０Ａ（図４８参照）と異なっている。
【０３４３】
また、ポジショニングの支援に関する表示を行わないため、コンソール単独モード処理における撮影準備表示処理（図４４参照）のステップＳ６２８〜ステップＳ６３４の処理が設けられておらず、ステップＳ６２２で肯定判定となった場合、ステップＳ６３６Ｂへ移行する。
【０３４４】
ステップＳ６３６Ｂで制御部５０は、携帯情報端末装置１６から受信する指定内容信号または、メニュー選択画面２２０Ａに表示された指示ボタン２３０の操作の検出結果に基づいて、次画面を表示させるか否かを判断する。なお、制御部５０は、指示ボタン２３０の操作を検出した場合、次画面を表示させることを表す指定内容信号を携帯情報端末装置１６へ送信する。
【０３４５】
また、ステップＳ６３８Ｂで制御部５０は、上記ステップＳ６１６Ｂと同様に、ステータス移行を指示されたか否かを判断する。
【０３４６】
また、図４２に示すように、本実施形態のコンソール併用モード処理は、コンソール単独モード処理のステップＳ２２１Ａに代わりステップＳ２２１Ｂを実行する。
【０３４７】
Ｓ２２１Ｂで制御部５０は、ディスプレイ５６に撮影確認画面２４０Ａに替わり図５３に示す撮影確認画面２４０Ｂを表示させる。本実施形態では、コンソール併用モードの場合、コンソール１８からは再撮影に関する指示が行われない。そのため、図５３に示すように、撮影確認画面２４０Ｂは、完了ボタン２４９及び再撮影ボタン２５０が表示されない点で撮影確認画面２４０Ａ（図４９参照）と異なっている。
【０３４８】
また、図４２に示すように、本実施形態のコンソール併用モード処理は、コンソール単独モード処理のステップＳ２３６Ａに代わりステップＳ２３６Ｂを実行する。
【０３４９】
ステップＳ２３６Ｂで制御部５０は、携帯情報端末装置１６から受信する指定内容信号に基づいて、再撮影を行うか否かを判断する。
【０３５０】
次に、本実施形態の携帯情報端末装置１６の動作について説明する。なお、携帯情報端末装置１６の端末制御部３０で実行される端末装置処理全体の流れは第１実施形態と同様（図２３参照）である。本実施形態では、端末装置処理のステップＳ４０２の端末装置単独モード処理及びステップＳ４０８の端末装置併用モード処理の各々の処理内容が異なっているため、各処理について説明する。なお、携帯情報端末装置１６のディスプレイ３６に表示される各種画面は、コンソール１８のディスプレイ５６に表示される名称が同一の各種画面に対応する。
【０３５１】
本実施形態の端末装置単独モード処理について説明する。図５４には、本実施形態の携帯情報端末装置１６の端末制御部３０で実行される端末装置単独モード処理の流れの一例を表したフローチャートが示されている。
【０３５２】
図５４に示すように、本実施形態の端末装置単独モード処理は、ステップＳ５０６〜Ｓ５２４の処理に代わり、ステップＳ５０５Ａ、Ｓ５２１、及びＳ５２５を実行する点で、第１実施形態の端末装置単独モード処理（図２５Ａ、２５Ｂ参照）と異なっている。
【０３５３】
本実施形態の端末装置単独モード処理のステップＳ５００で端末制御部３０は、ディスプレイ３６に撮影初期画面を表示させる。
【０３５４】
図５５には、本実施形態において携帯情報端末装置１６のディスプレイ３６に撮影初期画面１３４Ａが表示された状態の具体例を表す概略図が示されている。図５５に示すように本実施形態の撮影初期画面１３４Ａは、選択ボタン１３５Ｂ〜１３５Ｅに代わり選択ボタン１３５Ｆが表示される点で第１実施形態の撮影初期画面１３４（図２６参照）と異なっている。
【０３５５】
選択ボタン１３５Ｆは、撮影準備を行う場合にユーザが選択するボタンである。ユーザが選択ボタン１３５Ｆを選択することにより「撮影準備」を選択したことを端末制御部３０が検出した場合は、ステップＳ５０２で否定判定となり、ステップＳ５０５Ａへ移行する。
【０３５６】
本実施形態の放射線画像撮影システム１０では、ユーザが選択ボタン１３５Ｆを選択した場合、撮影準備表示処理が行われ、撮影準備表示処理が完了すると、引き続き放射線画像の撮影が行われる。そのため、ステップＳ５０５Ａで端末制御部３０は、図５６に示した撮影準備表示処理を実行する。
【０３５７】
ステップＳ７００で端末制御部３０は、ディスプレイ３６に被写体情報登録画面を表示させる。具体的には、端末制御部３０は、記憶部３２に記憶されている被写体情報登録画面に関する情報を用いて、被写体情報登録画面を生成して、ディスプレイ３６に表示させる。
【０３５８】
図５７に示した被写体情報登録画面３００の表示領域３０２Ａ、３０２Ｂ、３０２Ｃ、及び３０２Ｄの各々は、被写体情報登録画面２００（図４５参照）の表示領域２０２Ａ、２０２Ｂ、２０２Ｃ、及び２０２Ｄに対応している。また、表示領域３０３及び表示領域３０３に表示される入力部３０６の各々は、被写体情報登録画面２００（図４５参照）の表示領域２０４及び入力部２０６に対応している。なお、端末制御部３０が入力部３０６へのユーザによる接触を検出すると、ユーザによる入力を行いやすくするため、入力部３０６の表示を拡大する。
【０３５９】
また、指示ボタン３０８Ａ、３０８Ｂ、及び３１０の各々は、被写体情報登録画面２００（図４５参照）の、指示ボタン２０８Ａ、２０８Ｂ、及び２１０に対応している。
【０３６０】
さらに、被写体情報登録画面３００には、被写体情報を読み取ることを促す情報３０１が表示される。本実施形態の携帯情報端末装置１６は、情報３０１の表示に基づき、第１実施形態の携帯情報端末装置１６における第１実施形態の被写体認証表示処理のステップＳ３３２（図１３参照）と同様に、ステップＳ７０２Ａで端末制御部３０は、被写体情報が入力された（読み取った）か否かを判定する。
【０３６１】
次のステップＳ７０４Ａで端末制御部３０は、第１実施形態の被写体認証表示処理のステップＳ３３４（図１３参照）と同様に、読み取った被写体情報に対応する撮影オーダが有るか否かを判断する。
【０３６２】
撮影オーダが無い場合のステップＳ７０６で端末制御部３０は、被写体情報登録画面３００の表示を更新し、読み取った被写体情報と、撮影オーダが無い旨の情報とを被写体情報登録画面３００に表示させた後、ステップＳ７１０Ａへ移行する。一方、撮影オーダが有った場合のステップＳ７０８Ａで端末制御部３０は、被写体情報登録画面３００の表示を更新し、取得したオーダ情報を被写体情報登録画面３００に表示させた後、ステップＳ７１０Ａへ移行する。端末制御部３０は、具体的には図５８に示すように、表示領域３０２Ａに被写体氏名を表示させ、表示領域３０２Ｂに被写体ＩＤを表示させ、表示領域３０２Ｃに性別を表示させ、また、表示領域３０２Ｄに生年月日を表示させ、さらに表示領域３０３に詳細な被写体に関する情報３０７を表示させる。
【０３６３】
ステップＳ７１０Ａで端末制御部３０は、次画面（メニュー選択画面３２０Ａ、図５９参照、詳細後述）を表示させるか否かを判断する。次画面を表示させない場合のステップＳ７１２で端末制御部３０は、上記ステップＳ７０２Ａと同様に、被写体情報を読み取ったか否かを判断する。被写体情報を読み取った場合のステップＳ７１４で端末制御部３０は、被写体情報登録画面３００の表示を更新した後、ステップＳ７１０Ａに戻る。一方、被写体情報を読み取らなかった場合のステップＳ７１６Ａで端末制御部３０は、ステータス移行を指示されたか否かを判断する。指示ボタン３０８Ａ及び３０８Ｂのいずれかによりステータス移行を指示された場合、ステップＳ７１８へ移行し、端末制御部３０は、ステータス移行指示を放射線画像撮影装置１４に送信した後、ステップＳ７１０Ａに戻る。
【０３６４】
一方、次画面を表示させる場合、Ｓ７１０ＡからステップＳ７２０Ａへ移行し、端末制御部３０は、ディスプレイ３６に被写体情報登録画面３００に代わり図５９に示したメニュー選択画面３２０を表示させる。
【０３６５】
図５９に示したメニュー選択画面３２０の表示領域３２６は、メニュー選択画面２２０Ａ（図４８参照）の表示領域２２６に対応している。また、指示ボタン３０８Ａ、３０８Ｂ、ポジショニング支援ボタン３２８、及び指示ボタン３３０の各々は、メニュー選択画面２２０Ａ（図４８参照）の指示ボタン２０８Ａ、２０８Ｂ、ポジショニング支援ボタン２２８、及び指示ボタン２３０に対応している。
【０３６６】
また、メニュー選択画面３２０の表示領域３２１に表示される選択ボタン３２２及び３２４は、メニュー選択画面２２０Ａ（図４８参照）の選択ボタン２２２及び２２４に対応している。なお、端末制御部３０が選択ボタン３２２または選択ボタン３２４へのユーザによる接触を検出すると、ユーザによる入力を行いやすくするため、選択ボタン３２２または選択ボタン３２４の表示を拡大する。
【０３６７】
さらに、メニュー選択画面３２０の表示領域３０２Ｂには、被写体Ｗの被写体ＩＤが表示される。また、メニュー選択画面３２０には、ポジショニングのためのプレビュー画像の表示をユーザが指示するための指示ボタン３２９が表示される。
【０３６８】
次のステップＳ７２２で端末制御部３０は、撮影メニューが選択済みであるか否かを判断する。撮影メニューが選択済みではない場合のステップＳ７２４で端末制御部３０は、撮影メニューが選択されたか否かを判断する。具体的には、端末制御部３０は、拡大表示した選択ボタン３２２及び選択ボタン３２４が操作されたことを検出した場合に撮影メニューが選択されたと判断する。そして、撮影メニューが選択された場合のＳ７２６Ａで端末制御部３０は、メニュー選択画面３２０の表示を更新して入力された撮影メニュー（入力情報）を識別可能に表示させた後、ステップＳ７３８Ａへ移行する。また、撮影メニューが選択されなかった場合も、ステップＳ７３８Ａへ移行する。
【０３６９】
ステップＳ７３８Ａで端末制御部３０は、上記ステップＳ７１６Ａと同様に、指示ボタン３０８Ａ及び３０８Ｂのいずれかによりステータス移行を指示されたか否かを判断する。ステータス移行が指示された場合のステップＳ７６４０で端末制御部３０は、上記ステップＳ７１８と同様に、ステータス移行指示を放射線画像撮影装置１４に送信した後、ステップＳ７２２に戻る。一方、ステータス移行が指示されなかった場合、ステップＳ７２２に戻る。
【０３７０】
撮影メニューが選択済みの場合、ステップＳ７２２からステップＳ７２８へ移行する。ステップＳ７２８で端末制御部３０は、メニュー選択画面３２０Ａに表示されたポジショニング支援ボタン３２８が指定されたか否かを判定する。
【０３７１】
ポジショニング支援ボタン３２８が指定された場合ステップＳ７３０へ移行する。
【０３７２】
ステップＳ７３０で端末制御部３０は、取得したオーダ情報に基づいて、ユーザが被写体Ｗをポジショニングするための参考図の画像データを記憶部３２から取得する。
【０３７３】
次のステップＳ７３２で端末制御部３０は、図６０に示すように、ディスプレイ３６のメニュー選択画面３２０上に重畳させて参考図１６２を表示させた後、ステップＳ７３６Ａへ移行する。本実施形態では、メニュー選択画面３２０全体を暗くする等して、視認しやすい状態にして参考図１６２を表示させる。端末制御部３０は、所定の時間、もしくはユーザがディスプレイ３６に対してタップ等所定の動作を行うまでの間、参考図１６２を表示させておく。
【０３７４】
一方、ポジショニング支援ボタン３２８が指定されていない場合、ステップＳ７２８からステップＳ７３４へ移行する。ステップＳ７３４で端末制御部３０は、プレビュー画像を表示するか否かを判断する。端末制御部３０は、指示ボタン３２９が操作されたことを検出した場合、プレビュー画像を表示すると判断する。プレビュー画像を表示する場合、肯定判定となりステップＳ７３５へ移行する。
【０３７５】
ステップＳ７３５で端末制御部３０は、図６０に示すように、ディスプレイ３６に放射線画像撮影装置１４から受信したプレビュー画像３３１を予め定められた時間、表示させた後、ステップＳ７３６Ａへ移行する。ユーザはプレビュー画像３３１を参考に、被写体Ｗのポジショニングを確認する。なお、ポジショニングの確認のために表示させるプレビュー画像３３１は、撮影確認画面３４０（図６１参照、詳細後述）に表示させるプレビュー画像１７２よりも画質が低くてもよい。
【０３７６】
プレビュー画像３３１は、被写体Ｗに放射線照射装置１２から放射線Ｒを照射させて放射線画像撮影装置１４により撮影された放射線画像である。そのため、プレビュー画像３３１を表示させるにあたり、ユーザは照射スイッチ１９により放射線Ｒの照射を指示する。なお、放射線Ｒの照射が指示される前に放射線画像撮影装置１４をレディ状態に移行させることが好ましい。そのため、端末制御部３０は、プレビュー表示ボタン３２９の操作を検出した場合に、放射線画像撮影装置１４のステータスが未だレディ状態でない場合は、未だレディ状態ではないことを表す情報をディスプレイ３６に表示させたり、放射線画像撮影装置１４にレディ状態に移行することを指示する信号を送信させたりすることが好ましい。
【０３７７】
ステップＳ７３６Ａで端末制御部３０は、指示ボタン３３０が操作されたことを検出したか否かにより、次画面（撮影確認画面３４０、図６１参照、詳細後述）を表示させるか否かを判断する。次画面を表示させない場合、上述したステップＳ７３８Ａへ移行する。一方、次画面を表示させる場合、ステップＳ７４２へ移行し、端末制御部３０は、上記処理に応じた撮影オーダを撮影に用いる撮影オーダとして設定した後、本撮影準備表示処理を終了して端末装置単独モード処理のステップＳ５２１へ移行する。
【０３７８】
ステップＳ５２１で端末制御部３０は、ディスプレイ３６にメニュー選択画面３２０に替わり図６１に示した撮影確認画面３４０を表示させる。
【０３７９】
図６１に示すように、本実施形態の撮影確認画面３４０には、プレビュー画像（プレビュー画像１７２、図６１参照）を表示する表示領域３４２が設けられている。なお、撮影確認画面３４０をディスプレイ３６に表示した当初は、未だ放射線画像が撮影されておらず、プレビュー画像１７２が生成されていないため、表示領域３４２には未だプレビュー画像１７２が表示されていない。
【０３８０】
図６１に示した撮影確認画面３４０の情報３４４、指示ボタン３４８、完了ボタン３４９、及び再撮影ボタン３５０の各々は、撮影確認画面２４０（図４９参照）の情報２４４、指示ボタン２４８、完了ボタン２４９、及び再撮影ボタン２５０に対応している。撮影確認画面３４０をディスプレイ３６に表示した当初は、未だ放射線画像の撮影が行われていないため、完了ボタン３４９及び再撮影ボタン３５０は、撮影確認画面３４０に表示されているものの、ユーザによる指示が不可能になっている。
【０３８１】
次のステップＳ５２５で端末制御部３０は、指示ボタン３４８が指示されたか否かにより、ディスプレイ３６に表示させる画面を前の画面、すなわちメニュー選択画面３２０に戻すか否かを判断する。前の画面を表示させる場合、上述した撮影準備表示処理のステップＳ７２０Ａ（図５６参照）に戻る。一方、前の画面を表示させない場合、ステップＳ５２６で端末制御部３０は、プレビュー画像を受信したか否かを判断する。受信していない場合はステップＳ５２５へ戻り、受信した場合は、ステップＳ５３１へ移行する。
【０３８２】
また、図５４に示すように、本実施形態の端末装置単独モード処理は、ステップＳ５３０の代わりにステップＳ５３１の処理を実行する点で、第１実施形態のコンソール単独モード処理（図２５Ｂ参照）と異なっている。
【０３８３】
ステップＳ５３１で端末制御部３０は、ディスプレイ３６に表示されている撮影確認画面３４０を更新する。本実施形態では、具体例として図６２に示すように、上記ステップＳ５２６で受信したプレビュー画像１７２を表示領域３４２に表示させる。また、プレビュー画像１７２の四隅等、ユーザの確認を妨げない場所に、オーダ情報から取得した被写体の情報３５２、撮影メニューの情報３５３、撮影日時を表す情報３５４、及び放射線画像撮影装置１４が放射線画像に付与した画像ＩＤ等を表示させる。また、指示ボタン３４８の指示を不可能にさせ、完了ボタン３４９及び再撮影ボタン３５０の指示を可能にさせる。
【０３８４】
次に、本実施形態の携帯情報端末装置１６で実行される、端末装置処理のステップＳ４０８（図２３参照）の端末装置併用モード処理について説明する。
【０３８５】
図５４に示すように、本実施形態の端末装置併用モード処理は、端末装置単独モード処理のステップＳ５０５Ａに代わりステップＳ５０５Ｂを実行し、図５６に示した端末装置併用モード処理を実行する。図５６に示すように端末装置併用モード処理の撮影準備表示処理は、コンソール単独モード処理（図４４参照）と一部が異なっている。
【０３８６】
本実施形態の端末装置併用モード処理では、端末装置単独モード処理のステップＳ７０２Ａ、Ｓ７０４Ａ、Ｓ７１０Ａ、Ｓ７１６Ａ、Ｓ７２０Ａ、Ｓ７３６Ａ、及びＳ７３８Ａの代わりにＳ７０２Ｂ、Ｓ７０４Ｂ、Ｓ７１０Ｂ、Ｓ７１６Ｂ、Ｓ７２０Ｂ、Ｓ７３６Ｂ、及びＳ７３８Ｂを実行する。これらの処理では、第１実施形態の携帯情報端末装置１６の端末装置併用モード処理と同様に、端末制御部３００は、ユーザがコンソール１８のディスプレイ５６に表示された画面に対して指定した内容を表す指定内容信号を受信した場合、自装置の操作部４０を介してユーザが指定を行う場合と同様の処理を行う。
【０３８７】
また、本実施形態の端末装置併用モード処理では、端末装置単独モード処理のステップＳ７０８Ａの代わりにＳ７０８Ｂを実行する。具体的には、ステップＳ７０８Ｂで更新する表示内容が異なる。端末装置併用モード処理では、図６３に示すように、携帯情報端末装置１６は、被写体情報登録画面３００の表示領域３０３に、詳細な被写体に関する情報３０７に代わり、詳細な被写体に関する情報（被写体情報）の確認を促す情報３１１を表示させる。ユーザは、コンソール１８のディスプレイ５６に表示された被写体情報登録画面２００（図４７参照）により被写体情報を確認する。
【０３８８】
また、本実施形態の端末装置併用モード処理では、端末装置単独モード処理のステップＳ７２０Ａの代わりにＳ７２０Ｂを実行する。具体的には、ステップＳ７２０Ｂで表示するメニュー選択画面３２０の表示内容が異なる。図６４に示すようにメニュー選択画面３２０の表示領域３２１には、選択ボタン３２２及び３２４に代わり、撮影メニューの選択を促す情報３３３を表示させる。ユーザは、コンソール１８のディスプレイ５６に表示されたメニュー選択画面２２０Ｂ（図５２参照）の選択ボタン２２２及び２２４を用いて撮影メニューの選択を行う。
【０３８９】
このように本実施形態の端末装置併用モード処理では、携帯情報端末装置１６は、表示内容量、具体的には情報の数が多い場合、ディスプレイ３６にその表示内容（情報）そのものを表示させず、ユーザに対してコンソール１８により確認を促すための情報を表示させる。
【０３９０】
以上説明したように、各実施形態の放射線画像撮影システムは、各々放射線画像の撮影に関する制御を行う、少なくとも１つが選択的に使用される複数の制御装置である携帯情報端末装置１６及びコンソール１８と、選択的に使用される制御装置である使用制御装置に対して、使用制御装置が１つの場合には、１つの使用制御装置に応じた制御内容を設定し、使用制御装置が複数の場合には、複数の使用制御装置の組み合わせに応じた制御内容を設定する設定部として機能する携帯情報端末装置１６の端末制御部３０及びコンソール１８の制御部５０と、を備える。
【０３９１】
また各実施形態の放射線画像撮影システム１０は、ディスプレイ３６を備えた携帯情報端末装置１６及びディスプレイ５６を備えたコンソール１８を含み、各々放射線画像の撮影に関する制御を行う、少なくとも１つが選択的に使用される複数の制御装置と、選択的に使用される制御装置である使用制御装置に対して、使用制御装置が携帯型及び非携帯型のいずれであるか、及び使用制御装置が１つ及び複数のいずれであるかに基づいて使用制御装置のディスプレイ３６及びディスプレイ５６に表示する表示内容を設定する端末制御部３０及び制御部５０と、を備える。
【０３９２】
また、各実施形態の放射線画像撮影システム１０は、放射線画像の撮影に係る情報が表示されるディスプレイ５６を備え、単独で放射線画像の撮影に関する制御を行う場合は、ディスプレイ５６に第１の表示内容の表示が行われ、他の制御装置と組み合わされて放射
線画像の撮影に関する制御を行う場合は、ディスプレイ５６に第１の表示内容よりも情報量が少ない第２の表示内容の表示が行われる、コンソール１８と、放射線画像の撮影に係る情報を表示させる、ディスプレイ５６よりも表示能力が低いディスプレイ３６を備え、単独で放射線画像の撮影に関する制御を行う場合は、ディスプレイ３６に第１の表示内容よりも情報量が少ない第３の表示内容が表示され、他の制御装置と組み合わされて放射線画像の撮影に関する制御を行う場合は、ディスプレイ３６に第２の表示内容及び第３の表示内容のいずれよりも情報量が少ない第４の表示内容の表示が行われる、携帯情報端末装置１６と、を備える。
なお、本実施形態において「情報量」とは、データ量及び/又はデータ種類の量のことである。データ量とは、その情報（データ）の大きさを表し、例えば、画像データにおいては、読影用の画像データは情報量（データ量）が多く、プレビュー画像の画像データは情報量が少ない。またデータ種類の量とは、その情報に何種類のデータが含まれるかを表し、例えば、被写体Ｗの情報のデータにおいては、氏名及び年齢のみのデータは、データの種類が少ないため情報量（データ種類の量）が少なく、氏名、年齢、性別、身長、及び体重を含むデータは、データの種類が多いため情報量が多い。「情報量」が、データ量及びデータ種類の量である場合、「情報量が少ない」とは、データ量及びデータ種類の量の少なくともいずれか１つの量が少ないことを表す。
【０３９３】
そのため、携帯情報端末装置１６では、単独モードで動作する場合よりも、併用モードで動作する場合の表示内容を少なくすることができるため、併用モードでは、単独モードに比べて、表示内容が見やすくなる。
【０３９４】
従って、ユーザにとって、放射線画像撮影システム１０の使い勝手を向上させることができる。
【０３９５】
また、上記各実施形態の放射線画像撮影システム１０では、撮影室等特定の場所以外で使用することが多い携帯情報端末装置１６において表示させる表示内容の情報量をコンソール１８において表示させる表示内容量よりも少なくしている。例えば第２実施形態では、携帯情報端末装置１６には、詳細な被写体Ｗの情報３０７そのものを表示させない、またはコンソール１８の表示領域２０４に表示させる詳細な被写体Ｗの情報よりも情報量を少なく表示させる。これにより、個人情報等の情報漏洩を抑制することができる。
【０３９６】
なお、上記各実施形態では、具体例として、放射線画像撮影システム１０が備える携帯型の制御装置として１つの携帯情報端末装置１６を備える場合について説明したが、上述したように複数の携帯型の制御装置を備えていてもよい。例えば、放射線画像撮影システム１０は、図６５に示すようにタブレット型の携帯情報端末装置１６Ａ及びスマートフォン型の携帯情報端末装置１６Ｂを備えていてもよい。携帯情報端末装置１６Ａのディスプレイ３６Ａは、携帯情報端末装置１６Ｂのディスプレイ３６Ｂに比べて、表示能力が高く、少なくとも表示領域が大きい。この場合、携帯情報端末装置１６Ａに表示させる表示内容の情報量を、携帯情報端末装置１６Ｂに表示させる表示内容の情報量よりも多くしてもよい。例えば、ポジショニングの参考図１６２の表示は、携帯情報端末装置１６Ａでは行うが、携帯情報端末装置１６Ｂでは行わないようにしてもよい。このように、携帯情報端末装置１６（１６Ａ、１６Ｂ）が備えるディスプレイ３６（３６Ａ、３６Ｂ）の表示能力に応じて、表示能力が低いほど表示内容の情報量を少なくしてもよい。
【０３９７】
なお、上記各実施形態では、本開示の設定部の機能を携帯情報端末装置１６及びコンソール１８が備えた場合について説明したがこれに限らず、いずれか一方のみが設定部の機能を有していてもよい。この場合は、設定部を有する制御装置から、設定部を有していない制御装置に、制御モードを設定するための指示を行えばよい。
【０３９８】
また、設定部の機能は、放射線画像撮影システム１０の中に備えられていればよく、例えば、放射線画像撮影装置１４が備えていてもよい。図６６には、この場合の放射線画像撮影システム１０の放射線画像撮影装置、携帯情報端末装置、及びコンソールの概略構成の一例を示すブロック図を示す。放射線画像撮影装置１４が操作検出部２３及び操作ボタン２５を備え、ユーザから制御モードの指示を受け付けた場合は、指示された制御モードを、対応する制御装置に送信すればよい。また、この場合、例えば、放射線画像撮影装置１４が、撮影モードとして、上述したメモリモードを設定した場合は、携帯情報端末装置１６を使用する単独モードにするための指示を携帯情報端末装置１６に送信すればよい。
【０３９９】
また、１台の制御装置が、複数の制御機能を有し、それぞれ異なる制御内容を実行する場合においても、本開示の技術を適用することができる。図６７には、この場合の具体例として、コンソール１８のみを備えた放射線画像撮影システム１０の放射線画像撮影装置及びコンソールの概略構成の一例を示すブロック図を示す。図６７に示したコンソール１８は、上記携帯情報端末装置１６と同様の制御機能と、上記コンソール１８と同様の制御機能とを有している場合、上述のように、それぞれに単独モード、及び併用モードを適用することができる。
【０４００】
また、制御内容は、上述のように、携帯情報端末装置１６のディスプレイ３６及びコンソール１８のディスプレイ５６に表示させる表示内容をどのように表示させるかについての制御に限らず、その他の放射線画像の撮影に関する制御であってもよい。
【０４０１】
また、併用モードにおいて、コンソール１８のディスプレイ５６に表示させる表示内容は、上述のものに限らない。例えば、携帯情報端末装置１６のディスプレイ３６に表示される表示内容と重複する表示内容については、コンソール１８のディスプレイ５６に表示させなくてもよい。この場合、上述した各種の画面そのものをコンソール１８のディスプレイ５６に表示させなくてもよい。通常、ユーザは、現在、制御装置のディスプレイ（表示部）に表示されていない表示内容に応じた、撮影に関する制御を行おうとはしない。そのため、重複する表示内容については、非表示とすることにより、複数の制御装置から放射線画像撮影装置１４に対して制御を行うことにより齟齬が生じるのを抑制することができる。
【０４０２】
また例えば、同じ種類の画面であっても、異なる表示内容（表示項目）が含まれる場合は、異なる表示内容のみをコンソール１８のディスプレイ５６に表示させてもよい。具体的には、例えば、コンソール１８のディスプレイ５６に表示されるポジショニング関連画面１００（図１８参照）と、携帯情報端末装置１６のディスプレイ３６に表示されるポジショニング関連画面１６０（図３４参照）とを比較すると、ポジショニング関連画面１００には、撮影部位を表す情報１０３が表示されている点で異なっている。そのため、コンソール１８のディスプレイ５６には、撮影部位を表す情報１０３のみを表示させてもよい。なお、このようにコンソール１８のディスプレイ５６と、携帯情報端末装置１６ディスプレイ３６とで、表示内容が重複する場合は、コンソール１８のディスプレイ５６に表示される重複する表示内容について、他の表示内容よりも目立たなく表示させてもよい。例えば、明るさを暗くしてもよいし、文字や画像の大きさを小さくする等してもよい。
【０４０３】
また、併用モードにおいて、携帯情報端末装置１６のディスプレイ３６に表示させる表示内容は、上述のものに限らない。例えば、上述のように携帯情報端末装置１６は、被写体Ｗがいる撮影室内で使用される場合、撮影室内で行われる撮影に関する制御等に応じた表示内容（画面及び表示項目）のみを携帯情報端末装置１６のディスプレイ３６にさせてもよい。
【０４０４】
例えば、ユーザは、撮影室内で、携帯情報端末装置１６を使用して被写体Ｗのポジショニングを行い、その後、撮影室外のコンソール室でコンソール１８を使用して、放射線画像撮影装置１４から放射線Ｒの照射開始を指示する場合がある。撮影室とコンソール室とを隔てる扉は、通常、放射線Ｒの漏洩防止のために鉛の扉を用いており、扉が閉められた状態で、放射線Ｒの照射が行われる。そのため、放射線画像撮影装置１４と携帯情報端末装置１６とが、上述のように近距離無線通信を用いている場合、通信が遮断されてしまうことがある。
【０４０５】
従って、コンソール室で行われる撮影に関する制御等に応じた表示内容は、コンソール１８のディスプレイ５６に表示させることが好ましく、携帯情報端末装置１６のディスプレイ３６には表示させなくてもよい。また、コンソール１８のディスプレイ５６と携帯情報端末装置１６のディスプレイ３６との両方に表示した場合、複数の制御装置から放射線画像撮影装置１４に対して制御が行われて、齟齬が生じる懸念がある。これに対して、一方の制御装置のみに表示した場合、通常、表示内容が表示された制御装置から放射線画像撮影装置１４に対して制御が行われるため、齟齬が生じるのを抑制することができる。
【０４０６】
また、併用モードにおいて、携帯情報端末装置１６のディスプレイ３６及びコンソール１８のディスプレイ５６に表示させる表示内容（画面及び表示項目）についての設定をユーザから受け付けて、受け付けた設定に応じて表示内容をカスタマイズしてもよい。この場合、表示させる画面の種類をユーザが設定してもよいし、１つの画面における表示内容（表示項目）をユーザが設定してもよい。例えば、携帯情報端末装置１６では、撮影装置の設定を行わない場合は、携帯情報端末装置１６のディスプレイ３６に表示される撮影初期画面１３４（図２６参照）のうち、「撮影装置設定」を選択するための選択ボタン１３５Ａについては、表示させないように設定してもよい。このように、１つの画面に表示される表示項目のうち、一部の表示項目を非表示に設定した場合は、表示を行う残りの表示項目を再レイアウトすることが好ましい。上記残りの表示項目を、全ての表示項目を表示させる場合に比べて、大きく表示させることができる。
【０４０７】
また、単独モード及び併用モードにおいて、携帯情報端末装置１６のディスプレイ３６に表示させた上述の表示内容（画面及び表示項目）の一部または全部に相当する内容を、表示以外の方法で、ユーザに提示してもよい。例えば、携帯情報端末装置１６に音声を出力するスピーカー等を設け、音声ガイドにより提示してもよい。
【０４０８】
また、上記で説明した１つの画面における表示内容（表示項目）を分割して、それぞれ携帯情報端末装置１６及びコンソール１８に表示させてもよい。
【０４０９】
また、被写体Ｗは、人でなくてもよく、人以外の動物や植物等の生物や、他の物体であってもよい。
【０４１０】
また、放射線画像の撮影に用いられる放射線Ｒは特に限定されるものではなく、Ｘ線やγ線等を適用することができる。
【０４１１】
その他、上記各実施形態で説明した放射線画像撮影装置１４、携帯情報端末装置１６、及びコンソール１８等の構成及び動作は一例であり、本発明の主旨を逸脱しない範囲内において状況に応じて変更可能であることはいうまでもない。
【符号の説明】
【０４１２】
１０  放射線画像撮影システム
１４  放射線画像撮影装置
１６、１６Ａ、１６Ｂ  携帯情報端末装置
１８  コンソール
３０  端末制御部
３６、３６Ａ、３６Ｂ  ディスプレイ
５０  制御部
５６  ディスプレイ
【図１】
2018140279.tif 000003
【図２】
2018140279.tif 000004
【図３】
2018140279.tif 000005
【図４】
2018140279.tif 000006
【図５Ａ】
2018140279.tif 000007
【図５Ｂ】
2018140279.tif 000008
【図６】
2018140279.tif 000009
【図７】
2018140279.tif 000010
【図８】
2018140279.tif 000011
【図９】
2018140279.tif 000012
【図１０】
2018140279.tif 000013
【図１１】
2018140279.tif 000014
【図１２】
2018140279.tif 000015
【図１３】
2018140279.tif 000016
【図１４】
2018140279.tif 000017
【図１５】
2018140279.tif 000018
【図１６】
2018140279.tif 000019
【図１７】
2018140279.tif 000020
【図１８】
2018140279.tif 000021
【図１９】
2018140279.tif 000022
【図２０】
2018140279.tif 000023
【図２１】
2018140279.tif 000024
【図２２】
2018140279.tif 000025
【図２３】
2018140279.tif 000026
【図２４】
2018140279.tif 000027
【図２５Ａ】
2018140279.tif 000028
【図２５Ｂ】
2018140279.tif 000029
【図２６】
2018140279.tif 000030
【図２７】
2018140279.tif 000031
【図２８】
2018140279.tif 000032
【図２９】
2018140279.tif 000033
【図３０】
2018140279.tif 000034
【図３１】
2018140279.tif 000035
【図３２】
2018140279.tif 000036
【図３３】
2018140279.tif 000037
【図３４】
2018140279.tif 000038
【図３５】
2018140279.tif 000039
【図３６】
2018140279.tif 000040
【図３７】
2018140279.tif 000041
【図３８】
2018140279.tif 000042
【図３９】
2018140279.tif 000043
【図４０】
2018140279.tif 000044
【図４１】
2018140279.tif 000045
【図４２】
2018140279.tif 000046
【図４３】
2018140279.tif 000047
【図４４】
2018140279.tif 000048
【図４５】
2018140279.tif 000049
【図４６】
2018140279.tif 000050
【図４７】
2018140279.tif 000051
【図４８】
2018140279.tif 000052
【図４９】
2018140279.tif 000053
【図５０】
2018140279.tif 000054
【図５１】
2018140279.tif 000055
【図５２】
2018140279.tif 000056
【図５３】
2018140279.tif 000057
【図５４】
2018140279.tif 000058
【図５５】
2018140279.tif 000059
【図５６】
2018140279.tif 000060
【図５７】
2018140279.tif 000061
【図５８】
2018140279.tif 000062
【図５９】
2018140279.tif 000063
【図６０】
2018140279.tif 000064
【図６１】
2018140279.tif 000065
【図６２】
2018140279.tif 000066
【図６３】
2018140279.tif 000067
【図６４】
2018140279.tif 000068
【図６５】
2018140279.tif 000069
【図６６】
2018140279.tif 000070
【図６７】
2018140279.tif 000071